(57)【要約】【課題】用紙の属性情報と画像形成パラメータとの対応付けを示す複数の設定情報が記憶されている場合に、当該複数の設定情報のみを表示する場合と比べて、どの設定情報を選択すべきであるのかがユーザにとって分り易くする。【解決手段】記憶部は、画像が形成される用紙の属性情報と画像形成パラメータとの対応付けを示す複数の設定情報を記憶する。受付部は、用紙の属性情報を受け付ける。表示制御部は、記憶部に記憶されている複数の設定情報の中から、受付部が受け付けた属性情報に対応する設定情報を、選択的に表示部に表示させる。表示制御部は、更に、設定情報毎に、設定情報に対応する属性情報と画像形成パラメータとの関係に基づいて定められた推奨度を、設定情報に対応付けて表示部に表示させる。【選択図】図２６
2020154268.tif 000002
【特許請求の範囲】
【請求項１】
画像が形成される用紙の属性情報と画像形成パラメータとの対応付けを示す複数の設定情報を記憶する記憶手段と、
用紙の属性情報を受け付ける受付手段と、
前記記憶手段に記憶されている前記複数の設定情報の中から、前記受付手段が受け付けた属性情報に対応する設定情報を、選択的に表示手段に表示させる表示制御手段と、
を有し、
前記表示制御手段は、更に、設定情報毎に、設定情報に対応する属性情報と画像形成パラメータとの関係に基づいて定められた推奨度を、設定情報に対応付けて前記表示手段に表示させる、
情報処理装置。
【請求項２】
前記推奨度は、用紙詰まりに関する、属性情報と画像形成パラメータとの関係に基づいて、定められる、
ことを特徴とする請求項１に記載の情報処理装置。
【請求項３】
前記推奨度は、用紙への画像の定着性に関する、属性情報と画像形成パラメータとの関係に基づいて、定められる、
ことを特徴とする請求項１に記載の情報処理装置。
【請求項４】
コンピュータを、
画像が形成される用紙の属性情報を受け付ける受付手段、
用紙の属性情報と画像形成パラメータとの対応付けを示す複数の設定情報を記憶する記憶手段に記憶されている前記複数の設定情報の中から、前記受付手段が受け付けた属性情報に対応する設定情報を、選択的に表示手段に表示させる表示制御手段、
として機能させ、
前記表示制御手段は、更に、設定情報毎に、設定情報に対応する属性情報と画像形成パラメータとの関係に基づいて定められた推奨度を、設定情報に対応付けて前記表示手段に表示させる、
プログラム。
【発明の詳細な説明】
【技術分野】
【０００１】
本発明は、情報処理装置及びプログラムに関する。
【背景技術】
【０００２】
印刷装置等のように画像を用紙に形成する装置においては、画像が形成される用紙の属性情報と画像形成パラメータとが対応付けられ、画像形成パラメータに従って、その画像形成パラメータに対応付けられている用紙に画像が形成される場合がある。
【０００３】
特許文献１には、出力媒体に関するデータベースのデータを取得し、そのデータの情報を有する画像を生成する画像形成装置システムが記載されている。
【先行技術文献】
【特許文献】
【０００４】
【特許文献１】特開２００７−７９７０１号公報
【発明の概要】
【発明が解決しようとする課題】
【０００５】
ところで、用紙の属性情報と画像形成パラメータとの対応付けを示す複数の設定情報が記憶装置に記憶される場合がある。この場合、使用される用紙の属性情報に対応する１又は複数の設定情報が候補として表示され、ユーザによって設定情報が選択されると、選択された設定情報に対応する画像形成パラメータに従って用紙に画像が形成される。また、１つの属性情報について画像形成パラメータの異なる複数の設定情報が記憶装置に記憶され、複数の設定情報が候補として表示される場合がある。この場合、どの設定情報を選択すべきであるのかがユーザにとって分り難いという問題が生じ得る。
【０００６】
本発明の目的は、用紙の属性情報と画像形成パラメータとの対応付けを示す複数の設定情報が記憶されている場合に、当該複数の設定情報のみを表示する場合と比べて、どの設定情報を選択すべきであるのかがユーザにとって分り易くすることにある。
【課題を解決するための手段】
【０００７】
請求項１に係る発明は、画像が形成される用紙の属性情報と画像形成パラメータとの対応付けを示す複数の設定情報を記憶する記憶手段と、用紙の属性情報を受け付ける受付手段と、前記記憶手段に記憶されている前記複数の設定情報の中から、前記受付手段が受け付けた属性情報に対応する設定情報を、選択的に表示手段に表示させる表示制御手段と、を有し、前記表示制御手段は、更に、設定情報毎に、設定情報に対応する属性情報と画像形成パラメータとの関係に基づいて定められた推奨度を、設定情報に対応付けて前記表示手段に表示させる、情報処理装置である。
【０００８】
請求項２に係る発明は、前記推奨度は、用紙詰まりに関する、属性情報と画像形成パラメータとの関係に基づいて、定められる、ことを特徴とする請求項１に記載の情報処理装置である。
【０００９】
請求項３に係る発明は、前記推奨度は、用紙への画像の定着性に関する、属性情報と画像形成パラメータとの関係に基づいて、定められる、ことを特徴とする請求項１に記載の情報処理装置である。
【００１０】
請求項４に係る発明は、コンピュータを、画像が形成される用紙の属性情報を受け付ける受付手段、用紙の属性情報と画像形成パラメータとの対応付けを示す複数の設定情報を記憶する記憶手段に記憶されている前記複数の設定情報の中から、前記受付手段が受け付けた属性情報に対応する設定情報を、選択的に表示手段に表示させる表示制御手段、として機能させ、前記表示制御手段は、更に、設定情報毎に、設定情報に対応する属性情報と画像形成パラメータとの関係に基づいて定められた推奨度を、設定情報に対応付けて前記表示手段に表示させる、プログラムである。
【発明の効果】
【００１１】
請求項１，４に係る発明によれば、用紙の属性情報と画像形成パラメータとの対応付けを示す複数の設定情報が記憶されている場合に、当該複数の設定情報のみを表示する場合と比べて、どの設定情報を選択すべきであるのかがユーザにとって分かり易い。
【００１２】
請求項２に係る発明によれば、用紙詰まりに関連する推奨度がユーザに提示される。
【００１３】
請求項３に係る発明によれば、画像の定着性に関連する推奨度がユーザに提示される。
【図面の簡単な説明】
【００１４】
【図１】第１実施形態に係る画像形成装置の構成を示すブロック図である。
【図２】用紙の外装を示す図である。
【図３】トレイ管理テーブルを示す図である。
【図４】トレイ管理テーブルの別の例を示す図である。
【図５】メイン画面を示す図である。
【図６】トレイへの用紙の割り当てに必要な操作をユーザに促す画面を示す図である。
【図７】トレイへの用紙の割り当てに必要な操作をユーザに促す別の画面を示す図である。
【図８】トレイへの用紙の割り当てに必要な操作をユーザに促す別の画面を示す図である。
【図９】確認画面を示す図である。
【図１０】第１実施形態に係る処理を示すフローチャートを示す図である。
【図１１】端末装置の構成を示すブロック図である。
【図１２】第２実施形態に係る処理を示すフローチャートを示す図である。
【図１３】用紙割当操作画面を示す図である。
【図１４】用紙割当操作画面を示す図である。
【図１５】用紙割当操作画面を示す図である。
【図１６】ストック割当操作画面を示す図である。
【図１７】ストック割当操作画面を示す図である。
【図１８】ストック割当操作画面を示す図である。
【図１９】割当操作画面を示す図である。
【図２０】割当操作画面を示す図である。
【図２１】第３実施形態に係る画像形成装置の構成を示すブロック図である。
【図２２】第３実施形態に係る処理を示すフローチャートを示す図である。
【図２３】ストック管理テーブルを示す図である。
【図２４】印刷パラメータ設定画面を示す図である。
【図２５】推奨度の算出方法を示す図である。
【図２６】ストック情報の表示画面を示す図である。
【発明を実施するための形態】
【００１５】
＜第１実施形態＞
以下、図１を参照して、第１実施形態に係る画像形成装置について説明する。図１には、第１実施形態に係る画像形成装置１０の構成の一例が示されている。画像形成装置１０は、情報処理装置の一例に相当する。画像形成装置１０は、画像を用紙に形成する機能を有する装置である。ここでは一例として、画像形成装置１０は、画像を用紙に印刷する機能を有する装置である。画像形成装置１０は、プリンタであってもよいし、画像読取機能や複写機能やファクシミリ通信機能等をも有する複合機であってもよい。
【００１６】
画像形成装置１０には読取装置１２が接続される。その接続は、有線通信によって確立されてもよいし、無線通信によって確立されてもよい。読取装置１２は、バーコードリーダや、スキャナや、カメラや、ＲＦタグ等のＩＣタグに対応したリーダ等のように、情報や画像を読み取る機能を有する装置である。また、読取装置１２は、カメラ等の撮影装置を有する、パーソナルコンピュータ（以下、「ＰＣ」と称する）、タブレットＰＣ、スマートフォン又は携帯電話等であってもよい。
【００１７】
読取装置１２によって読み取られることで用紙の属性を特定することが可能な対象物が、読取装置１２によって読み取られることで、当該用紙の属性を示す情報（以下、「用紙属性情報」と称する）が取得される。用紙の属性は、例えば、用紙サイズ、用紙種類、用紙の色、用紙重量（例えば坪量）、コーティングの有無、及び、パンチ穴の有無等である。
【００１８】
対象物は、用紙の属性を特定することが可能な物体や画像や文字列等である。具体的には、対象物は、用紙の属性を特定するための情報を示すバーコードや２次元コード等であってもよいし、ＲＦＩＤ（Radio Frequency Identifier）を利用したＲＦタグ等のＩＣタグであってもよいし、用紙の属性を特定するための情報を示す文字列であってもよいし、用紙そのものであってもよい。２次元コードとして、例えばＱＲコード（登録商標）等が用いられる。文字列は、例えば、「Ａ４」や「普通紙」等を示す文字列である。
【００１９】
用紙の属性を特定するための情報は、例えば用紙属性情報である。この場合、対象物が読取装置１２によって読み取られることで、当該対象物から用紙属性情報が取得される。用紙属性情報は、画像形成装置１０に出力される。
【００２０】
用紙の属性を特定するための情報は、用紙属性情報を識別するための識別情報であってもよい。識別情報は、例えば管理番号や管理ＩＤ等である。この場合、対象物が読取装置１２によって読み取られることで、当該対象物から識別情報が取得される。例えば、用紙毎に、用紙の用紙属性情報と、当該用紙属性情報を識別するための識別情報とが対応付けられて、これらの情報が、サーバ１４等の外部装置に記憶されている。対象物から識別情報が取得された場合、当該識別情報に対応付けられている用紙属性情報が、外部装置から取得される。読取装置１２が外部装置から用紙属性情報を取得してもよいし、識別情報を読取装置１２から受けた画像形成装置１０が、外部装置から用紙属性情報を取得してもよい。なお、用紙属性情報は画像形成装置１０や読取装置１２に記憶されていてもよい。この場合、画像形成装置１０や読取装置１２において、対象物を読み取ることで取得された識別情報に対応付けられている用紙属性情報が特定される。
【００２１】
例えば、用紙属性情報を示すバーコードが、バーコードリーダである読取装置１２によって読み取られることで、当該バーコードから当該用紙属性情報が取得される。用紙属性情報を示す２次元コードが、カメラである読取装置１２によって撮影されることで、又は、スキャナである読取装置１２によって読み取られることで、当該２次元コードから当該用紙属性情報が取得されてもよい。ＲＦタグが、ＲＦ対応のリーダによって読み取られることで、当該ＲＦタグから用紙属性情報が取得されてもよい。用紙属性情報を示す文字列や画像が、カメラである読取装置１２によって撮影され、又は、スキャナである読取装置１２によって読み取られ、文字認識処理や画像解析処理が実行されることで、当該用紙属性情報が取得されてもよい。例えば、用紙の外装に、バーコードや２次元コードや文字列や画像等が印刷されている場合や、用紙の外装にＲＦタグ等のＩＣタグが取り付けられている場合、これらが読取装置１２によって読み取られることで、用紙属性情報が取得される。もちろん、用紙の外装以外の物品に、バーコード等の対象物が印刷されたり、ＩＣタグが取り付けられたりしてもよい。バーコード等の対象物が、用紙属性情報を識別するための識別情報を示している場合も同様に、バーコード等の対象物が読取装置１２によって読み取られることで、用紙属性情報が取得される。
【００２２】
用紙が、カメラである読取装置１２によって撮影され、その撮影によって生成された画像データに対して画像解析処理を適用することで、当該用紙の属性が推測されてもよい。例えば、画像データに表されている用紙のサイズや紙質等に基づいて、用紙サイズや用紙種類や用紙重量等が推測される。この推測は、読取装置１２によって行われてもよいし、画像形成装置１０によって行われてもよいし、サーバ１４等の外部装置によって行われてもよい。
【００２３】
読取装置１２は、例えば、画像形成装置１０に設けられているトレイに用紙を割り当てるときに用いられる。なお、読取装置１２は、画像形成装置１０に含まれていてもよい。
【００２４】
また、画像形成装置１０は、通信経路Ｎを介してサーバ１４と通信してもよい。通信経路Ｎは、例えば、ＬＡＮ（Local Area Network）等のネットワークやインターネット等である。
【００２５】
サーバ１４は、複数のストック情報を記憶する装置である。ストック情報は、用紙の用紙属性情報と、当該用紙に対して実行される印刷に関する印刷パラメータとの対応付けを示す情報である。ストック情報は、設定情報の一例に相当する。１つの用紙属性情報について印刷パラメータの異なる複数のストック情報が生成されてもよい。
【００２６】
印刷パラメータは、画像形成装置１０による印刷に関する設定を示す情報であり、例えば、画像形成装置１０による印刷を制御するためのパラメータや、印刷の条件に関するパラメータである。具体的には、印刷パラメータは、画像形成装置１０に含まれている定着器による定着の温度や、用紙の傾きを調整するアライナーロール圧力やサイドレジの補正値、転写電流の調整値、用紙カール補正値、及び、紙折り位置の調整値等である。印刷パラメータは、画像形成パラメータの一例に相当する。
【００２７】
用紙属性情報には、例えば、印刷パラメータが予め対応付けられている。例えば、ユーザが、用紙属性情報が示す各属性を設定し、印刷パラメータに含まれる各値を設定し、用紙属性情報と印刷パラメータとを対応付けてもよい。また、用紙の属性に基づいて、当該用紙の用紙属性情報に対応付けられる印刷パラメータが決定されてもよい。また、各用紙属性に対する各印刷パラメータの使用履歴に基づいて、各用紙属性情報に対応付けられる１又は複数の印刷パラメータが決定されてもよい。例えば、各ユーザによる使用回数の多い印刷パラメータが、推奨印刷パラメータとして用紙属性情報に対応付けられ、これらが推奨ストック情報としてサーバ１４に記憶されてもよい。１つの用紙属性情報について推奨度の異なる複数の推奨印刷パラメータが決定され、複数の推奨ストック情報が生成されてサーバ１４に記憶されてもよい。また、後述する第３実施形態のように、用紙属性情報と印刷パラメータとの関係に基づいて定められた推奨度が、当該用紙属性情報と当該印刷パラメータとの対応付けを示すストック情報に対応付けられてもよい。また、ストック情報を使用した各ユーザが、ストック情報を評価し、その評価に基づいて推奨度が定められてもよい。推奨度が閾値以上となるストック情報が、推奨ストック情報として定められてもよい。
【００２８】
なお、サーバ１４は用いられなくてもよい。また、上記の複数のストック情報は、画像形成装置１０に予め記憶されていてもよい。
【００２９】
以下、画像形成装置１０の構成について詳しく説明する。
【００３０】
印刷部１６は画像形成部の一例であり、トレイ１８から供給された用紙に、印刷対象の画像データに基づく画像を印刷するように構成されている。画像を用紙に印刷することが、画像を用紙に形成することの一例に相当する。
【００３１】
トレイ１８は、印刷部１６に供給される用紙を収容する部材である。トレイ１８は、印刷部１６に用紙を供給する供給部を構成する１つの要素である。画像形成装置１０には、複数のトレイ１８が設けられている。
【００３２】
検知部２０は、トレイ１８が開けられたこと、及び、トレイ１８が閉じられたことを検知するように構成されている。検知部２０は、例えば、トレイ１８の開閉を検知するセンサである。検知部２０は、個々のトレイ１８毎に開閉を検知する。トレイ１８を開けるとは、例えば、画像形成装置１０の本体からトレイ１８を引き出すことである。トレイ１８の全部が画像形成装置１０の本体から引き出されずに、トレイ１８の一部が引き出された場合であっても、検知部２０は、トレイ１８が開けられたことを検知してもよい。
【００３３】
受付部２２は、トレイ１８への用紙の割り当てをユーザから受け付けるように構成されている。例えば、ユーザがＵＩ部２６を用いてトレイ１８へ用紙を割り当てる操作を行った場合、受付部２２は、その割り当てを受け付けて、トレイ１８に用紙を割り当てる。トレイ１８への用紙の割り当てとは、トレイ１８と、当該トレイ１８に収容される用紙の属性とを対応付けることである。受付部２２は、トレイ１８と、当該トレイ１８に収容される用紙の属性とを対応付けて、その対応付けを示す情報を記憶部２８に記憶させる。
【００３４】
受付部２２は、更に、トレイ１８への印刷パラメータの割り当てをユーザから受け付けてもよい。例えば、ユーザがＵＩ部２６を用いてトレイ１８へ印刷パラメータを割り当てる操作を行った場合、受付部２２は、その割り当てを受け付けて、トレイ１８に印刷パラメータを割り当てる。トレイ１８への印刷パラメータの割り当てとは、トレイ１８と、当該トレイ１８に収容される用紙に対して実行される印刷のパラメータとを対応付けることである。受付部２２は、トレイ１８と、当該トレイ１８に収容されている用紙に対する印刷パラメータとを対応付けて、その対応付けを示す情報を記憶部２８に記憶させる。印刷部１６は、印刷される用紙が収容されているトレイ１８に対応付けられている印刷パラメータに従って、当該用紙に画像を印刷する。
【００３５】
別の例として、受付部２２は、トレイ１８へのストック情報の割り当てをユーザから受け付けてもよい。例えば、ユーザがＵＩ部２６を用いてトレイ１８へストック情報を割り当てる操作を行った場合、受付部２２は、その割り当てを受け付けて、トレイ１８にストック情報を割り当てる。トレイ１８へのストック情報の割り当てとは、トレイ１８と、ストック情報とを対応付けることである。受付部２２は、トレイ１８とストック情報とを対応付けて、その対応付けを示す情報を記憶部２８に記憶させる。印刷部１６は、印刷対象として指定されたトレイ１８に対応付けられているストック情報に含まれる印刷パラメータに従って、当該トレイ１８に収容されている用紙に画像を印刷する。
【００３６】
別の例として、受付部２２は、用紙への印刷パラメータの割り当てをユーザから受け付けてもよい。例えば、ユーザがＵＩ部２６を用いて用紙へ印刷パラメータを割り当てる操作を行った場合、受付部２２は、その割り当てを受け付けて、用紙に印刷パラメータを割り当てる。用紙への印刷パラメータの割り当てとは、用紙と、当該用紙に対して実行される印刷のパラメータとを対応付けることである。受付部２２は、用紙と、当該用紙に対する印刷パラメータとを対応付けて、その対応付けを示す情報を記憶部２８に記憶させる。印刷部１６は、用紙に対応付けられている印刷パラメータに従って、当該用紙に画像を印刷する。
【００３７】
通信部２４は通信インターフェースであり、他の装置に情報を送信する機能、及び、他の装置から情報を受信する機能を有する。通信部２４は、無線通信機能を有していてもよいし、有線通信機能を有していてもよい。通信部２４は、例えば、ＬＡＮ等のネットワークやインターネット等の通信経路Ｎを介して、サーバ１４等の外部装置と通信してもよいし、Ｂｌｕｅｔｏｏｔｈ（登録商標）等の近距離無線通信等を利用することで他の装置と通信してもよい。
【００３８】
ＵＩ部２６はユーザインターフェース部であり、表示部と操作部とを含む。表示部は、液晶ディスプレイ等の表示装置である。操作部は、キーボードや入力キーや操作パネル等の入力装置である。ＵＩ部２６は、表示部と操作部とを兼ね備えたタッチパネル等のＵＩ部であってもよい。
【００３９】
記憶部２８は、各種の情報を記憶する１又は複数の記憶領域である。各記憶領域は、例えば、画像形成装置１０に設けられている１又は複数の記憶装置（例えばハードディスクドライブやメモリ等の物理ドライブ）によって構成されている。例えば、印刷対象の画像データ等が、記憶部２８に記憶される。
【００４０】
また、記憶部２８には、トレイ管理情報とストック管理情報とが記憶されている。
【００４１】
トレイ管理情報は、少なくとも、トレイ１８毎に、トレイ１８と用紙の属性との対応付けを管理するための情報である。例えば、トレイ１８毎に、トレイ１８を識別するためのトレイ識別情報と、当該トレイ１８に割り当てられている用紙の属性を示す用紙属性情報とが対応付けられて、これらの情報がトレイ管理情報に含まれている。トレイ識別情報は、例えば、トレイ１８の番号や名称等を示す情報である。
【００４２】
例えば、トレイ１８への用紙の割り当てがユーザによって行われた場合、当該トレイ１８のトレイ識別情報と当該用紙の用紙属性情報とが対応付けられて、トレイ管理情報に含まれる。この対応付けの処理は、受付部２２によって行われる。なお、当該用紙がユーザによって割り当てられたことを示す情報が、当該トレイ識別情報に対応付けられてもよい。
【００４３】
用紙の割り当てが行われていないトレイ１８のトレイ識別情報には、用紙が割り当てられていないことを示す用紙未割当情報が対応付けられていてもよいし、情報が対応付けられていなくてもよい。
【００４４】
なお、用紙の割り当てがユーザによって行われていないトレイ１８には、予め定められた用紙が予め割り当てられていてもよい。つまり、当該トレイ１８のトレイ識別情報には、予め定められた用紙属性情報が予め対応付けられていてもよい。この場合、当該トレイ１８のトレイ識別情報には、ユーザによる用紙の割り当てが行われていないことを示す用紙未割当情報が対応付けられていてもよいし、当該用紙属性情報が、予め定められた仮の用紙属性情報であることを示す情報が対応付けられていてもよい。当該トレイ１８への用紙の割り当てがユーザによって行われた場合、当該トレイ１８のトレイ識別情報には、ユーザによって割り当てられた用紙属性情報が対応付けられる。用紙未割当情報や、用紙属性情報が予め定められた仮の用紙属性情報であることを示す情報が、当該トレイ１８のトレイ識別情報に対応付けられている場合、これらの情報は削除される。この対応付けの処理や削除処理は、受付部２２によって行われる。以下、予め定められた仮の用紙属性情報を「テンポラリー用紙属性情報」と称することとする。
【００４５】
ストック管理情報は、用紙毎に、用紙属性情報と印刷パラメータとの対応付けを示すストック情報を管理するための情報である。ストック管理情報には、１又は複数のストック情報が含まれている。例えば、１つの用紙属性情報について印刷パラメータの異なる複数のストック情報が生成されて、ストック管理情報に含まれている。用紙属性情報と印刷パラメータとは予め対応付けられてもよいし、ユーザが用紙に印刷パラメータを割り当てることで、用紙属性情報と印刷パラメータとが対応付けられてもよい。例えば、用紙属性情報と印刷パラメータとが予め対応付けられて、これらがストック情報としてストック管理情報に含まれている。上述した推奨ストック情報がストック管理情報に含まれていてもよい。また、ストック情報は、サーバ１４から取得されてストック管理情報に含まれてもよい。
【００４６】
また、上記のトレイ管理情報とは別の例として、トレイ１８毎に、トレイ１８を識別するためのトレイ識別情報と、ストック情報とが対応付けられて、これらの情報がトレイ管理情報に含まれてもよい。つまり、トレイ１８毎に、トレイ１８を識別するためのトレイ識別情報と、用紙の属性を示す用紙属性情報と、印刷パラメータとが対応付けられて、これらの情報がトレイ管理情報に含まれてもよい。この場合、印刷部１６は、トレイ１８に対応付けられている印刷パラメータに従って、当該トレイ１８に収容されている用紙に、印刷対象の画像を印刷する。
【００４７】
例えば、トレイ１８へのストック情報の割り当てがユーザによって行われた場合、当該トレイ１８のトレイ識別情報と当該ストック情報とが対応付けられて、トレイ管理情報に含まれる。この対応付けの処理は、受付部２２によって行われる。なお、当該ストック情報がユーザによって割り当てられたことを示す情報が、当該トレイ識別情報に対応付けられてもよい。
【００４８】
ストック情報の割り当てが行われていないトレイ１８のトレイ識別情報には、ストック情報が割り当てられていないことを示すストック未割当情報が対応付けられていてもよいし、情報が対応付けられていなくてもよい。
【００４９】
なお、ストック情報の割り当てがユーザによって行われていないトレイ１８には、予め定められたストック情報が予め割り当てられてもよい。つまり、当該トレイ１８のトレイ識別情報には、予め定められたストック情報が予め対応付けられていてもよい。この場合、当該トレイ１８のトレイ識別情報には、ユーザによるストック情報の割り当てが行われていないことを示すストック未割当情報が対応付けられていてもよいし、当該ストック情報が、予め定められた仮のストック情報であることを示す情報が対応付けられていてもよい。当該トレイ１８へのストック情報の割り当てがユーザによって行われた場合、当該トレイ１８のトレイ識別情報には、ユーザによって割り当てられたストック情報が対応付けられる。ストック未割当情報や、ストック情報が予め定められた仮のストック情報であることを示す情報が、当該トレイ１８のトレイ識別情報に対応付けられている場合、これらの情報は削除される。この対応付けの処理や削除処理は、受付部２２によって行われる。以下、予め定められたストック情報を、「テンポラリーストック情報」と称することとする。
【００５０】
ストック情報がユーザによって割り当てられていないトレイ１８がユーザによって指定されて、印刷の実行がユーザによって指示された場合、印刷部１６は、当該トレイ１８に対応付けられているテンポラリーストック情報に含まれている印刷パラメータに従って、当該トレイ１８に収容されている用紙に画像を印刷する。
【００５１】
トレイ１８に割り当てられていない用紙属性情報やストック情報が、記憶部２８に記憶されていてもよい。例えば、読取装置１２によって対象物を読み取ることで取得された用紙属性情報や、サーバ１４から取得されたストック情報や、ユーザによって作成されたストック情報が、記憶部２８に記憶されてもよい。ユーザは、記憶部２８に記憶されている用紙属性情報やストック情報をトレイ１８に割り当ててもよい。
【００５２】
なお、第１実施形態においては、ストック管理情報は記憶部２８に記憶されていなくてもよい。また、用紙やトレイ１８に印刷パラメータが割り当てられていなくてもよい。
【００５３】
制御部３０は、画像形成装置１０の各部の動作を制御するように構成されている。また、制御部３０は、表示制御部３２を含む。
【００５４】
表示制御部３２は、各種の情報の表示を制御するように構成されている。例えば、ユーザによる用紙の割り当てが行われていないトレイ１８が開けられた場合、表示制御部３２は、当該トレイ１８への用紙の割り当てに必要な操作をユーザに促す画面をＵＩ部２６の表示部に表示させる。ユーザによる用紙の割り当てが行われているトレイ１８が開けられた場合、表示制御部３２は、当該画面を表示部に表示させない。以下、トレイ１８への用紙の割り当てに必要な操作をユーザに促す画面を、「第１促す画面」と称することとする。
【００５５】
より詳しく説明すると、検知部２０が、トレイ１８が開けられたことを検知した場合、開けられたトレイ１８のトレイ識別情報を表示制御部３２に出力する。表示制御部３２は、記憶部２８に記憶されているトレイ管理情報を参照することで、開けられたトレイ１８のトレイ識別情報に、ユーザによって割り当てられた用紙の用紙属性情報が対応付けられているか否かを判断する。
【００５６】
例えば、当該トレイ識別情報に用紙属性情報が対応付けられていない場合や、当該トレイ識別情報にテンポラリー用紙属性情報が対応付けられている場合や、当該トレイ識別情報に用紙未割当情報が対応付けられている場合や、当該トレイ識別情報に、テンポラリー用紙属性情報が対応付けられていることを示す情報が対応付けられている場合、表示制御部３２は、開けられたトレイ１８のトレイ識別情報に、ユーザによって割り当てられた用紙の用紙属性情報が対応付けられていないと判断する。この場合、表示制御部３２は、第１促す画面を表示部に表示させる。
【００５７】
一方、当該トレイ識別情報に用紙属性情報が対応付けられている場合や、当該トレイ識別情報に、用紙がユーザによって割り当てられたことを示す情報が対応付けられている場合や、当該トレイ識別情報に用紙未割当情報が対応付けられていない場合や、当該トレイ識別情報に、テンポラリー用紙属性情報が対応付けられていることを示す情報が対応付けられていない場合、表示制御部３２は、開けられたトレイ１８のトレイ識別情報に、ユーザによって割り当てられた用紙の用紙属性情報が対応付けられていると判断する。この場合、表示制御部３２は、第１促す画面を表示部に表示させない。
【００５８】
トレイ１８への用紙の割り当てに必要な操作は、例えば、バーコードや２次元コードやＲＦＩＤ等の対象物を読取装置１２によって読み取ることや、ユーザが用紙属性情報を入力することである。
【００５９】
第１促す画面は、当該操作の実行をユーザに明示的に伝える画面であってもよいし、当該操作の実行をユーザに明示的に伝える画面ではないが、ユーザ自身がすべき操作をユーザに分からせる画面であってもよい。
【００６０】
操作の実行をユーザに明示的に伝える画面は、例えば、「バーコード等の対象物を読み取ってください」等のメッセージが表示される画面等のように、読取装置１２によって対象物を読み取る操作をユーザに明示的に伝える画面である。
【００６１】
また、例えば、ユーザが画面上で用紙属性情報を入力する必要がある場合には、その入力画面が、操作をユーザに分からせる画面の一例に相当する。その入力画面が表示される前に、その入力画面に遷移させるための画面が表示されてもよい。例えば、「割り当てを行いますか？」や「用紙属性情報を入力しますか？」等のメッセージを示す画面が表示され、その画面上で、ユーザが画面遷移の指示を与えた場合（例えば、当該画面上に表示されている「ＯＫ」ボタンや「Ｙｅｓ」ボタンをユーザが押した場合）、画面が入力画面に遷移する。入力画面に遷移させるための画面も、第１促す画面の一例に相当する。第１促す画面を表示しないことの概念の範疇には、入力画面に遷移させるための画面を表示しないことも含まれる。
【００６２】
また、例えば、用紙属性情報を取得するために、ユーザがカメラによって対象物を撮影する必要がある場合には、その撮影中の画面が、操作をユーザに分からせる画面の一例に相当する。例えば、カメラ等の撮影装置を有するスマートフォンやタブレットＰＣ等の端末装置に、その撮影中の画面が表示されてもよい。また、スマートフォンやタブレットＰＣ等の端末装置に、画像形成装置１０を操作するためのＵＩ画面が表示されてもよい。このような装置に、撮影中の画面が表示されてもよい。例えば、検知部２０が、トレイ１８が開けられたことを検知した場合、その旨を示す情報が、画像形成装置１０から端末装置に送信される。当該情報を受信した端末装置においては、カメラが起動し、その撮影中の画面が端末装置に表示される。その撮影中の画面には、例えば、「枠内に対象物を配置してください。」等のメッセージが表示されてもよい。また、カメラが起動する前に、「カメラを起動しますか？」等のメッセージを示す画面が端末装置に表示され、ユーザがカメラの起動を指示した場合、カメラが起動して、撮影中の画面が表示されてもよい。このようなメッセージを示す画面も、第１促す画面の一例に相当する。第１促す画面を表示しないことの概念の範疇には、このようなメッセージを示す画面を表示しないことも含まれる。カメラによって、バーコードや２次元コード等の対象物が撮影されることで、用紙属性情報が取得される。なお、端末装置は、読取装置１２の一例であってもよい。
【００６３】
なお、表示制御部３２は、第１促す画面のデータを、ユーザが使用する端末装置に送信し、当該端末装置に第１促す画面を表示させてもよい。端末装置は、例えば、ＰＣ、タブレットＰＣ、スマートフォン又は携帯電話等である。なお、送信先の端末装置のアドレス情報（例えば電子メールアドレス等）は、記憶部２８に予め記憶されている。このように、第１促す画面は、画像形成装置１０にて表示されてもよいし、端末装置等の他の装置にて表示されてもよい。また、第１促す画面は、読取装置１２にて表示されてもよい。
【００６４】
ユーザによる用紙の割り当てが行われていないトレイ１８が開けられた場合であっても、当該トレイ１８にエラーが発生している場合、表示制御部３２は、第１促す画面を表示部に表示させなくてもよい。当該エラーは、例えば、当該トレイ１８に収容されている用紙に関するエラーである。具体的には、当該エラーは、用紙詰まり、用紙切れ、又は、用紙サイズに関するエラーのいずれかである。当該トレイ１８に、当該トレイ１８自体のエラーが発生している場合、表示制御部３２は、第１促す画面を表示部に表示させる。
【００６５】
また、ユーザによる用紙の割り当てが行われていないトレイ１８が開けられた場合であっても、読取装置１２が画像形成装置１０に接続されていない場合、表示制御部３２は、第１促す画面を表示部に表示させなくてもよい。例えば、読取装置１２が画像形成装置１０に接続されて、制御部３０が、読取装置１２が画像形成装置１０に接続されていることを認識している場合、表示制御部３２は、第１促す画面を表示部に表示させる。制御部３０が、読取装置１２が画像形成装置１０に接続されていることを認識していない場合、表示制御部３２は、第１促す画面を表示部に表示させない。例えば、読取装置１２が物理的に画像形成装置１０に接続されている場合であっても、制御部３０が読取装置１２を認識していない場合、表示制御部３２は、第１促す画面を表示部に表示させない。
【００６６】
また、第１促す画面を表示する例とは別の例として、ユーザによるストック情報の割り当てが行われていないトレイが開けられた場合、表示制御部３２は、当該トレイ１８へのストック情報の割り当てに必要な操作をユーザに促す画面をＵＩ部２６の表示部に表示させてもよい。ユーザによるストック情報の割り当てが行われているトレイ１８が開けられた場合、表示制御部３２は、当該画面を表示部に表示させない。以下、トレイ１８へのストック情報の割り当てに必要な操作をユーザに促す画面を、「第２促す画面」と称することとする。
【００６７】
より詳しく説明すると、検知部２０が、トレイ１８が開けられたことを検知した場合、開けられたトレイ１８のトレイ識別情報を表示制御部３２に出力する。表示制御部３２は、記憶部２８に記憶されているトレイ管理情報を参照することで、開けられたトレイ１８のトレイ識別情報に、ユーザによって割り当てられたストック情報が対応付けられているか否かを判断する。
【００６８】
例えば、当該トレイ識別情報にストック情報が対応付けられていない場合や、当該トレイ識別情報にテンポラリーストック情報が対応付けられている場合や、当該トレイ識別情報にストック未割当情報が対応付けられている場合や、当該トレイ識別情報に、テンポラリーストック情報が対応付けられていることを示す情報が対応付けられている場合、表示制御部３２は、開けられたトレイ１８のトレイ識別情報に、ユーザによって割り当てられたストック情報が対応付けられていないと判断する。この場合、表示制御部３２は、第２促す画面を表示部に表示させる。
【００６９】
一方、当該トレイ識別情報にストック情報が対応付けられている場合や、当該トレイ識別情報に、ストック情報がユーザによって割り当てられたことを示す情報が対応付けられている場合や、当該トレイ識別情報にストック未割当情報が対応付けられていない場合や、当該トレイ識別情報に、テンポラリーストック情報が対応付けられていることを示す情報が対応付けられていない場合、表示制御部３２は、開けられたトレイ１８のトレイ識別情報に、ユーザによって割り当てられたストック情報が対応付けられていると判断する。この場合、表示制御部３２は、第２促す画面を表示部に表示させない。
【００７０】
トレイ１８へのストック情報の割り当てに必要な操作は、例えば、バーコードや２次元コードやＲＦＩＤ等の対象物を読取装置１２によって読み取ることや、ユーザがストック情報を入力することである。
【００７１】
第２促す画面は、第１促す画面と同様に、操作の実行をユーザに明示的に伝える画面であってもよいし、ユーザ自身がすべき操作をユーザに分からせる画面であってもよい。これらの画面は、ユーザが利用する端末装置や読取装置１２に表示されてもよい。
【００７２】
また、開けられたトレイ１８に、当該トレイ１８に収容されている用紙に関するエラーが発生している場合、表示制御部３２は、第２促す画面を表示部に表示させなくてもよい。当該トレイ１８に、当該トレイ１８自体のエラーが発生している場合、表示制御部３２は、第２促す画面を表示部に表示させる。
【００７３】
また、ユーザによるストック情報の割り当てが行われていないトレイ１８が開けられた場合であっても、読取装置１２が画像形成装置１０に接続されていない場合、表示制御部３２は、第２促す画面を表示部に表示させなくてもよい。
【００７４】
なお、複数のトレイ１８がユーザによって開けられ場合も、表示制御部３２は、第１促す画面や、第２促す画面を、表示部に表示させてもよい。例えば、取得された用紙属性情報やストック情報は、最後に開けられたトレイ１８に対応付けられてもよいし、最初に開けられたトレイ１８に対応付けられてもよいし、ユーザによって選択されたトレイ１８に対応付けられてもよいし、用紙に関するエラーが発生していないトレイ１８に対応付けられてもよい。
【００７５】
トレイ１８に対する用紙属性情報やストック情報の対応付けを変更する場合、表示制御部３２は、その変更の操作を行うための画面を表示部に表示させる。例えば、ユーザがＵＩ部２６を用いて当該画面の表示指示を与えた場合、表示制御部３２は、当該画面を表示部に表示させる。
【００７６】
以下、具体例を挙げて、第１実施形態について更に詳しく説明する。
【００７７】
図２を参照して、対象物の一例について説明する。図２には、用紙の外装の一例が示されている。用紙の外装３４には、対象物の一例であるバーコード３６が印刷されている。バーコード３６は、外装３４に包まれている用紙の用紙属性情報を示している。バーコード３６が、読取装置１２の一例であるバーコードリーダによって読み取られることで、バーコード３６から用紙属性情報が取得される。読取装置１２は、当該用紙属性情報を画像形成装置１０に出力する。
【００７８】
画像形成装置１０の制御部３０は、サーバ１４と通信することで、バーコード３６から取得された用紙属性情報を含む１又は複数のストック情報を、サーバ１４から取得してもよい。制御部３０は、１又は複数の推奨ストック情報をサーバ１４から取得してもよい。もとろん、制御部３０は、当該用紙属性情報を含む１又は複数のストック情報を記憶部２８から取得してもよい。
【００７９】
バーコード３６は、用紙属性情報を識別するための識別情報（例えば管理番号や管理ＩＤ等）を示していてもよい。この場合、バーコード３６が読取装置１２によって読み取られることで、バーコード３６から識別情報が取得される。読取装置１２は、当該識別情報を画像形成装置１０に出力する。例えば、用紙毎に、識別情報と用紙属性情報とが対応付けられてサーバ１４に記憶されている。画像形成装置１０の制御部３０は、バーコード３６から取得された識別情報に対応付けられている用紙属性情報を、サーバ１４から取得する。制御部３０は、当該用紙属性情報を含む１又は複数のストック情報を、サーバ１４から取得してもよい。なお、読取装置１２が、用紙属性情報やストック情報をサーバ１４から取得して画像形成装置１０に出力してもよい。
【００８０】
バーコード３６は、１又は複数の推奨ストック情報を示していてもよい。この場合、バーコード３６が、読取装置１２によって読み取られることで、バーコード３６から１又は複数の推奨ストック情報が取得される。１又は複数の推奨ストック情報は、読取装置１２から画像形成装置１０に出力される。
【００８１】
バーコード３６以外の例として、２次元コードや、用紙属性情報を示す文字列や、その他の画像等が、外装３４に印刷されていてもよいし、ＲＦタグ等のＩＣタグが、外装３４に取り付けられていてもよい。２次元コードや文字列や画像やＩＣタグ等が読取装置１２によって読み取られることで、用紙属性情報やストック情報が取得される。
【００８２】
バーコード３６、２次元コード、文字列又は他の画像等の対象物は、外装３４に印刷されずに、他の用紙や物体等に印刷されていてもよいし、表示装置に表示されていてもよい。また、ＲＦタグ等のＩＣタグは、外装３４に取り付けられずに、他の用紙や物品等に取り付けられていてもよい。
【００８３】
以下、トレイ管理情報の具体例について説明する。図３には、トレイ管理テーブルの一例が示されている。トレイ管理テーブルは、トレイ管理情報の一例である。
【００８４】
トレイ管理テーブルにおいては、トレイ毎に、管理ＩＤと、トレイ１８の番号を示す情報と、当該トレイ１８に割り当てられている用紙の用紙属性情報とが対応付けられている。トレイ１８の番号は、トレイ識別情報の一例に相当する。
【００８５】
例えば、「トレイ１」には用紙属性情報である「用紙属性１」が対応付けられている。「トレイ２」には用紙属性情報である「用紙属性２」が対応付けられている。「トレイ３」には用紙属性情報である「用紙属性３」が対応付けられている。
【００８６】
「トレイ１」に対応付けられている用紙のサイズは「Ａ４」であり、用紙種類は「普通紙」である。これら以外の用紙属性情報（例えば用紙重量等）も「トレイ１」に対応付けられている。ユーザが用紙をトレイ１８に割り当てる操作を行うと、受付部２２は、当該用紙の用紙属性情報と当該トレイ１８のトレイ識別情報とを対応付けてトレイ管理テーブルに登録する。
【００８７】
なお、ユーザによって用紙属性情報が割り当てられていないトレイ１８には、テンポラリー用紙属性情報が予め対応付けられている。
【００８８】
図４には、トレイ管理テーブルの別の例が示されている。このトレイ管理テーブルにおいては、トレイ毎に、管理ＩＤと、トレイ１８の番号を示す情報と、当該トレイ１８に割り当てられている用紙の用紙属性情報と、当該トレイ１８に割り当てられている印刷パラメータとが対応付けられている。用紙属性情報と印刷パラメータとによってストック情報が構成されている。つまり、トレイ毎に、トレイ１８の名称を示す情報と、当該トレイ１８に割り当てられているストック情報とが対応付けられている。
【００８９】
例えば、「トレイ１」にはストック情報である「ストック１」が対応付けられている。「トレイ２」にはストック情報である「ストック２」が対応付けられている。「トレイ３」にはストック情報である「ストック３」が対応付けられている。
【００９０】
「トレイ１」に対応付けられている用紙のサイズは「Ａ４」であり、用紙種類は「普通紙」である。これら以外の用紙属性情報も「トレイ１」に対応付けられている。また、定着温度を示す情報等が、印刷パラメータとして「トレイ１」に対応付けられている。ユーザがストック情報をトレイ１８に割り当てる操作を行うと、受付部２２は、当該ストック情報と当該トレイ１８のトレイ識別情報とを対応付けてトレイ管理テーブルに登録する。
【００９１】
「トレイ１」に収容されている用紙が、印刷対象の用紙として選択された場合、印刷部１６は、「トレイ１」に収容されている用紙に、「トレイ１」に対応付けられている印刷パラメータに従って画像を印刷する。
【００９２】
なお、ユーザによってストック情報が割り当てられていないトレイ１８には、テンポラリーストック情報が予め対応付けられている。
【００９３】
第１実施形態においては、図３に示されているトレイ管理テーブルが用いられ、トレイ１８に用紙が割り当てられる。もちろん、第１実施形態においても、図４に示されているトレイ管理テーブルが用いられ、トレイ１８にストック情報が割り当てられてもよい。
【００９４】
以下、用紙をトレイ１８に割り当てるときに表示される画面について説明する。
【００９５】
図５には、メイン画面の一例が示されている。メイン画面３８は、ＵＩ部２６の表示部に表示される画面である。メイン画面３８には、画像形成装置１０を模式的に表す装置画像４０とリスト４２とが表示されている。リスト４２は、記憶部２８に記憶されている用紙属性情報の一覧であり、１又は複数の用紙属性画像４４を含む。用紙属性画像４４は、記憶部２８に記憶されている用紙属性情報を表す画像（例えばアイコン等）である。例えば、「用紙属性１」等を表す用紙属性画像４４が表示されている。ユーザは、メイン画面３８上で用紙属性画像４４を選択し、選択した用紙属性画像４４が表す用紙属性情報を変更してもよいし、用紙属性画像４４を操作することでトレイ１８に用紙属性情報を対応付けてもよい。なお、テンポラリー用紙属性情報を表す用紙属性画像が表示されてもよい。
【００９６】
なお、リスト４２は、記憶部２８に記憶されているストック情報の一覧であり、１又は複数のストック画像を含んでもよい。ストック画像は、ストック管理情報に含まれているストック情報を表す画像（例えばアイコン等）である。例えば、「ストック１」等を表すストック画像が表示されてもよい。ユーザは、メイン画面３８上でストック画像を選択し、選択したストック画像が表すストック情報を変更してもよいし、ストック画像を操作することでトレイ１８にストック情報を対応付けてもよい。なお、テンポラリーストック情報を表すストック画像が表示されてもよい。
【００９７】
ユーザによって用紙が割り当てられていないトレイ１８が開けられた場合、表示制御部３２は、第１促す画面をＵＩ部２６の表示部に表示させる。ここでは、「トレイ１」に、ユーザによって用紙が割り当てられておらず、ユーザによって「トレイ１」が開けられたものとする。つまり、トレイ管理テーブルにおいて、「トレイ１」に、ユーザによって割り当てられた用紙属性情報が対応付けられていない。なお、「トレイ１」には、テンポラリー用紙属性情報が対応付けられている場合がある。
【００９８】
図６には、第１促す画面の一例が示されている。例えば、表示制御部３２は、メッセージ等が表示される表示領域である表示ウィンドウ４６をメイン画面３８上に表示させる。表示ウィンドウ４６には、「トレイ１」への用紙の割り当てに必要な操作をユーザに促すメッセージが表示されている。表示ウィンドウ４６は、第１促す画面の一例に相当する。また、表示ウィンドウ４６は、操作の実行をユーザに明示的に伝える画面の一例に相当する。具体的には、「トレイ１」が開けられて、その開けられたことが検知されたことを示すメッセージや、「バーコードをスキャンして下さい。」等のメッセージが、表示ウィンドウ４６に表示される。
【００９９】
ユーザが表示ウィンドウ４６上で「ＯＫ」ボタンを押し、次に、ユーザが読取装置１２によってバーコード３６を読み取った場合、受付部２２は、その読み取りによって取得された用紙属性情報を受け付ける。受付部２２は、受け付けた用紙属性情報と、「トレイ１」のトレイ識別情報とを対応付けて、これらの情報を、図３に示されているトレイ管理テーブルに登録する。なお、ユーザが読取装置１２によってバーコード３６を読み取った後に、「ＯＫ」ボタンを押した場合も、受付部２２は、その読み取りによって取得された用紙属性情報と、「トレイ１」のトレイ識別情報とを対応付けてもよい。
【０１００】
ユーザが表示ウィンドウ４６上で「キャンセル」ボタンを押した場合、「トレイ１」に対する用紙属性情報の対応付けは行われない。「トレイ１」にテンポラリー用紙属性情報が対応付けられている場合、「トレイ１」の用紙属性情報としてテンポラリー用紙属性情報が用いられる。
【０１０１】
第１促す画面を表示する例とは別の例として、ユーザによってストック情報が割り当てられていないトレイ１８が開けられた場合、表示制御部３２は、第２促す画面をＵＩ部２６の表示部に表示させてもよい。例えば、「トレイ１」に、ユーザによってストック情報が割り当てられておらず、ユーザによって「トレイ１」が開けられたものとする。つまり、トレイ管理テーブルにおいて、「トレイ１」に、ユーザによって割り当てられたストック情報が対応付けられていない。なお、「トレイ１」には、テンポラリーストック情報が対応付けられている場合がある。
【０１０２】
この場合、図６に示されている表示ウィンドウ４６と同様に、「トレイ１」へのストック情報の割り当てに必要な操作をユーザに促すメッセージが表示される。具体的には、「バーコードをスキャンして下さい。」等のメッセーが表示される。
【０１０３】
ユーザが表示ウィンドウ上で「ＯＫ」ボタンを押し、次に、ユーザが読取装置１２によってバーコード３６を読み取った場合、受付部２２は、その読み取りによって取得された用紙属性情報を受け付ける。制御部３０は、受け付けた用紙属性情報を含むストック情報（例えば推奨ストック情報）を記憶部２８やサーバ１４から取得する。受付部２２は、当該ストック情報と、「トレイ１」のトレイ識別情報とを対応付けて、これらの情報を、図４に示されているトレイ管理テーブルに登録する。なお、ユーザが読取装置１２によってバーコード３６を読み取った後に、「ＯＫ」ボタンを押した場合も、受付部２２は、ストック情報と、「トレイ１」のトレイ識別情報とを対応付けてもよい。
【０１０４】
ユーザが表示ウィンドウ上で「キャンセル」ボタンを押した場合、「トレイ１」に対するストック情報の対応付けは行われない。「トレイ１」にテンポラリーストック情報が対応付けられている場合、「トレイ１」のストック情報としてテンポラリーストック情報が用いられる。
【０１０５】
図７には、ユーザ自身がすべき操作をユーザに分からせる画面の一例が示されている。ユーザによって用紙が割り当てられていないトレイ１８が開けられた場合、表示制御部３２は、表示領域である表示ウィンドウ４８をメイン画面３８上に表示させる。表示ウィンドウ４８は、ユーザが用紙属性情報を入力するための入力画面である。表示ウィンドウ４８は、ユーザ自身がすべき操作をユーザに分からせる画面の一例である。表示ウィンドウ４８には、用紙属性情報が入力される入力欄が表示されている。ユーザは、各入力欄に、用紙サイズや用紙種類等を示す情報を入力する。
【０１０６】
ユーザが表示ウィンドウ４８上で用紙属性情報を入力し、「ＯＫ」ボタンを押した場合、受付部２２は、入力された用紙属性情報を受け付ける。制御部３０は、受け付けた用紙属性情報と、「トレイ１」のトレイ識別情報とを対応付けて、これらの情報を、図３に示されているトレイ管理テーブルに登録する。
【０１０７】
制御部３０は、受け付けた用紙属性情報を含むストック情報を記憶部２８やサーバ１４から取得してもよい。この場合、受付部２２は、当該ストック情報と、「トレイ１」のトレイ識別情報とを対応付けて、これらの情報を、図４に示されているトレイ管理テーブルに登録する。
【０１０８】
ユーザが表示ウィンドウ４８上で「キャンセル」ボタンを押した場合、「トレイ１」に対する用紙属性情報の対応付けは行われない。「トレイ１」にテンポラリー用紙属性情報が対応付けられている場合、「トレイ１」の用紙属性情報としてテンポラリー用紙属性情報が用いられる。「トレイ１」にテンポラリーストック情報が対応付けられている場合、「トレイ１」のストック情報としてテンポラリーストック情報が用いられてもよい。
【０１０９】
表示制御部３２は、表示ウィンドウ４８を表示する前に、「割り当てを行いますか？」等のメッセージをメイン画面３８上に表示させてもよい。ユーザが画面遷移の指示を与えた場合、表示制御部３２は、表示ウィンドウ４８をメイン画面３８上に表示させてもよい。
【０１１０】
第１促す画面を表示する例とは別の例として、ユーザによってストック情報が割り当てられていないトレイ１８が開けられた場合、表示制御部３２は、表示ウィンドウ４８と同様に、ユーザがストック情報を入力するための画面を表示部に表示させてもよい。受付部２２は、ユーザによって入力されたストック情報と、開けられたトレイ１８のトレイ識別情報とを対応付けて、これらの情報を、図４に示されているトレイ管理テーブルに登録する。
【０１１１】
図８には、ユーザ自身がすべき操作をユーザに分からせる画面の別の例が示されている。例えば、検知部２０が、トレイ１８が開けられたことを検知した場合、制御部３０は、その旨を示す情報を、送信先として予め登録されている端末装置５０に送信する。端末装置５０はカメラ等の撮影装置を有する。当該情報を受信した端末装置５０においては、カメラが起動して撮影し、端末装置５０の表示部には、撮影中の画面が表示される。ユーザはカメラによって用紙を撮影することで、画面には、用紙の画像５２が表示される。カメラによって、バーコードや２次元コード等の対象物が撮影されることで、用紙属性情報が取得される。「枠内に対象物を配置して下さい。」等のメッセージが、画面に表示されてもよい。また、カメラが起動する前に、「カメラを起動しますか？」等のメッセージが、画面に表示されてもよい。
【０１１２】
読取装置１２によって用紙属性情報が取得された場合、表示制御部３２は、取得された用紙属性情報をユーザが確認するための確認画面をＵＩ部２６の表示部に表示させてもよい。図９には、その確認画面の一例が示されている。確認画面５４には、読取装置１２によって取得された用紙属性情報が表示されている。例えば、用紙サイズや用紙種類や用紙重量等を示す情報が表示されている。また、図７に示されている入力画面上にてユーザによって用紙属性情報が入力された場合も、確認画面５４が表示されてもよい。また、読取装置１２によって対象物を読み取ることでストック情報が取得された場合に、取得されたストック情報を表示する確認画面が表示されてもよい。
【０１１３】
以下、図１０を参照して、第１促す画面の表示処理について説明する。図１０には、その表示処理を示すフローチャートが示されている。
【０１１４】
まず、ユーザがトレイ１８を開ける（Ｓ０１）。検知部２０は、トレイ１８が開けられたことを検知し、開けられたトレイ１８を特定する。
【０１１５】
次に、制御部３０は、画像形成装置１０に読取装置１２が接続されているか否かを判断する（Ｓ０２）。その接続は、ケーブルを用いた有線通信によって確立されていてもよいし、無線通信によって確立されていてもよい。
【０１１６】
画像形成装置１０に読取装置１２が接続されていない場合（Ｓ０２，Ｎｏ）、表示処理は終了する。この場合、第１促す画面は表示されない。例えば、制御部３０が、読取装置１２が画像形成装置１０に接続されていることを認識しない場合、表示処理は終了する。
【０１１７】
画像形成装置１０に読取装置１２が接続されている場合（Ｓ０２，Ｙｅｓ）、処理はステップＳ０３に移行する。例えば、制御部３０が、読取装置１２が画像形成装置１０に接続されていることを認識している場合、処理はステップＳ０３に移行する。
【０１１８】
第１促す画面を表示する機能が有効ではない場合（Ｓ０３，Ｎｏ）、つまり、当該機能が無効である場合、表示処理は終了する。例えば、当該機能が有効である又は無効であることを示す情報が、記憶部２８に記憶されている。ユーザはＵＩ部２６を用いて、当該機能の有効又は無効を設定することができる。
【０１１９】
第１促す画面を表示する機能が有効である場合（Ｓ０３，Ｙｅｓ）、処理はステップＳ０４に移行する。
【０１２０】
画像形成装置１０にエラーが発生していない場合（Ｓ０４，Ｙｅｓ）、表示制御部３２は、ユーザによって開けられたトレイ１８に、ユーザによって用紙が割り当てられているか否かを判断する（Ｓ０５）。
【０１２１】
ユーザによって開けられたトレイ１８に、ユーザによって用紙が割り当てられている場合（Ｓ０５，Ｎｏ）、表示処理は終了する。この場合、第１促す画面は表示されない。例えば図３に示されているトレイ管理テーブルにおいて、開けられたトレイ１８のトレイ識別情報に、ユーザによって割り当てられた用紙属性情報が対応付けられている場合、表示処理は終了する。トレイ１８に既に用紙が割り当てられている場合、トレイ１８への用紙の割り当て以外の理由で、ユーザはトレイ１８を開けたと推測される。第１促す画面の表示は不要であると推測されるため、表示制御部３２は、第１促す画面を表示部に表示させない。
【０１２２】
ユーザによって開けられたトレイ１８に、ユーザによって用紙が割り当てられていない場合（Ｓ０５，Ｙｅｓ）、表示制御部３２は、第１促す画面をＵＩ部２６の表示部に表示させる（Ｓ０６）。例えば、図６に示されている表示ウィンドウ４６や、図７に示されている表示ウィンドウ４８等が表示される。これらの表示ウィンドウは、端末装置に表示されてもよい。また、図８に示されている画面が、端末装置に表示されてもよい。
【０１２３】
画像形成装置１０にエラーが発生している場合（Ｓ０４，Ｎｏ）、処理はステップＳ０７に移行する。なお、画像形成装置１０に発生したエラーは、制御部３０によって検知される。
【０１２４】
画像形成装置１０にて発生したエラーが、ユーザが開けたトレイ１８の用紙詰まりのエラーである場合（Ｓ０７，Ｎｏ）、表示処理は終了する。この場合、第１促す画面は表示されない。ユーザは、用紙詰まりを解消するために当該トレイ１８を開けたと推測されるため、第１促す画面は、不要であると推測される。それ故、表示制御部３２は、第１促す画面を表示部に表示させない。
【０１２５】
画像形成装置１０にて発生したエラーが、ユーザが開けたトレイ１８の用紙詰まりのエラーではない場合（Ｓ０７，Ｙｅｓ）、処理はステップＳ０８に移行する。
【０１２６】
画像形成装置１０にて発生したエラーが、ユーザが開けたトレイ１８の用紙切れのエラーである場合（Ｓ０８，Ｎｏ）、表示処理は終了する。この場合、第１促す画面は表示されない。用紙切れのエラーは、例えば、印刷中に発生した用紙切れのエラーである。ユーザは、用紙を当該トレイ１８に補充するために当該トレイ１８を開けたと推測されるため、第１促す画面は、不要であると推測される。それ故、表示制御部３２は、第１促す画面を表示部に表示させない。
【０１２７】
画像形成装置１０にて発生したエラーが、ユーザが開けたトレイ１８の用紙切れのエラーではない場合（Ｓ０８，Ｙｅｓ）、処理はステップＳ０９に移行する。
【０１２８】
画像形成装置１０にて発生したエラーが、ユーザが開けたトレイ１８の用紙サイズ違いのエラーである場合（Ｓ０９，Ｎｏ）、表示処理は終了する。この場合、第１促す画面は表示されない。当該トレイ１８に対応付けられている用紙のサイズと、実際に当該トレイ１８に収容されている用紙のサイズとが異なる場合に、用紙サイズ違いのエラーが発生する。ユーザは、当該トレイ１８に収容されている用紙を、当該トレイ１８に対応付けられているサイズを有する用紙に取り替えるために、当該トレイ１８を開けたと推測される。そのため、第１促す画面は、不要であると推測される。それ故、表示制御部３２は、第１促す画面を表示部に表示させない。
【０１２９】
画像形成装置１０にて発生したエラーが、ユーザが開けたトレイ１８の用紙サイズ違いのエラーではない場合（Ｓ０９，Ｙｅｓ）、処理はステップＳ０５に移行する。そして、ステップＳ０５以降の処理が実行される。つまり、画像形成装置１０にエラーが発生している場合であっても、発生したエラーが、ステップＳ０７からステップＳ０９のいずれかに規定されているエラーに該当しない場合、ステップＳ０５以降の処理が実行される。例えば、発生したエラーが、トレイ１８自体のエラーである場合には、ステップＳ０５以降の処理が実行される。
【０１３０】
なお、ユーザが開けたトレイ１８（例えば「トレイ２」）にエラーが発生しておらず、「トレイ２」以外のトレイ１８（例えば「トレイ１」）にエラーが発生している場合において、ユーザが開けたトレイ１８に、ユーザによって用紙が割り当てられていない場合、表示制御部３２は、第１促す画面を表示部に表示させる。つまり、「トレイ１」にてエラーが発生しているときに、ユーザが、エラーが発生していない「トレイ２」を開けた場合、表示制御部３２は、第１促す画面を表示部に表示させる。
【０１３１】
上記とは別の例として、開けられたトレイ１８に、ユーザによってストック情報が割り当てられていない場合（Ｓ０５，Ｙｅｓ）、表示制御部３２は、第２促す画面を表示部に表示させてもよい（Ｓ０６）。開けられたトレイ１８に、ユーザによってストック情報が割り当てられている場合（Ｓ０５，Ｎｏ）、表示制御部３２は、第２促す画面を表示部に表示させない。また、ステップＳ０７からステップＳ０９のいずれかに規定されているエラーが発生している場合、表示制御部３２は、第２促す画面を表示部に表示させない。
【０１３２】
以下、図１１を参照して、第１実施形態の変形例について説明する。図１１には、端末装置の構成の一例が示されている。端末装置５６は、例えば、ＰＣ、タブレットＰＣ、スマートフォン又は携帯電話等の装置である。また、端末装置５６は、タブレットＰＣ、スマートフォン又は携帯電話等の携帯型端末装置であってもよい。端末装置５６は、情報処理装置の一例に相当する。
【０１３３】
変形例においては、端末装置５６が、対象物を読み取ることで用紙属性情報やストック情報を取得し、用紙属性情報やストック情報を画像形成装置１０に送信する。また、端末装置５６にて、トレイ１８への用紙属性情報やストック情報の対応付けが行われてもよい。この場合、端末装置５６は、その対応付けを示す情報を画像形成装置１０に送信する。以下、端末装置５６の構成について詳しく説明する。
【０１３４】
読取部５８は、カメラ等の撮影装置である。なお、読取部５８は、バーコードリーダや、ＲＦタグ等のＩＣタグに対応したリーダ等であってもよい。
【０１３５】
通信部６０は通信インターフェースであり、他の装置に情報を送信する機能、及び、他の装置から情報を受信する機能を有する。通信部６０は、無線通信機能を有していてもよいし、有線通信機能を有していてもよい。通信部６０は、例えば、ＬＡＮ等のネットワークやインターネット等の通信経路Ｎを介して、画像形成装置１０やサーバ１４と通信してもよいし、近距離無線通信等を利用することで他の装置と通信してもよい。
【０１３６】
ＵＩ部６２はユーザインターフェース部であり、表示部と操作部とを含む。表示部は、液晶ディスプレイ等の表示装置である。操作部は、キーボードや入力キー等の入力装置である。ＵＩ部６２は、表示部と操作部とを兼ね備えたタッチパネル等のＵＩ部であってもよい。
【０１３７】
記憶部６４は、各種の情報を記憶する１又は複数の記憶領域である。各記憶領域は、例えば、端末装置５６に設けられている１又は複数の記憶装置（例えばハードディスクドライブやメモリ等の物理ドライブ）によって構成されている。記憶部６４には、トレイ管理情報やストック管理情報が記憶されてもよい。
【０１３８】
受付部６６は、受付部２２と同様に、トレイ１８への用紙の割り当てやストック情報の割り当てをユーザから受け付けるように構成されている。受付部６６は、トレイ識別情報と用紙属性情報とを対応付けてもよいし、トレイ識別情報とストック情報とを対応付けてもよい。なお、端末装置５６にて割当処理が行われない場合、受付部６６は、端末装置５６に設けられていなくてもよい。例えば、画像形成装置１０にて割当処理が行われ、端末装置５６では割当処理は行われない場合もある。
【０１３９】
制御部６８は、端末装置５６の各部の動作を制御するように構成されている。また、制御部６８は、表示制御部７０を含む。
【０１４０】
表示制御部７０は、各種の情報の表示を制御するように構成されている。例えば、ユーザによる用紙の割り当てが行われていないトレイ１８が開けられた場合、表示制御部７０は、第１促す画面をＵＩ部６２の表示部に表示させる。別の例として、ユーザによるストック情報の割り当てが行われていないトレイ１８が開けられた場合、表示制御部７０は、第２促す画面を表示部に表示させてもよい。また、表示制御部７０は、画像形成装置１０を操作するための操作ＵＩをＵＩ部６２の表示部に表示させてもよい。
【０１４１】
例えば、画像形成装置１０の検知部２０が、ユーザがトレイ１８を開けたことを検知した場合、画像形成装置１０の制御部３０は、当該トレイ１８が開けられたことを示す情報と、当該トレイ１８のトレイ識別情報とを端末装置５６に送信する。例えば、端末装置５６のアドレス情報（例えば電子メールアドレス情報）が、画像形成装置１０の記憶部２８に予め記憶されており、制御部３０は、そのアドレス情報が示す送信先に、上記の情報を送信する。
【０１４２】
開けられたトレイ１８に用紙が割り当てられていない場合、表示制御部７０は、第１促す画面をＵＩ部６２の表示部に表示させる。当該トレイ１８に用紙が割り当てられているか否かの判断の処理は、画像形成装置１０にて行われてもよいし、端末装置５６にて行われてもよい。また、当該トレイ１８にて用紙に関するエラーが発生している場合、表示制御部７０は、第１促す画面を表示部に表示させなくてもよい。
【０１４３】
表示制御部７０は、用紙の割り当てに関する促す画面として、図６に示されている表示ウィンドウ４６や、図７に示されている表示ウィンドウ４８を、ＵＩ部６２の表示部に表示させてもよい。また、制御部６８は、読取部５８を構成するカメラを起動させ、カメラに撮影させてもよい。この場合、図８に示されている画面等が、ＵＩ部６２の表示部に表示される。
【０１４４】
別の例として、開けられたトレイ１８にストック情報が割り当てられていない場合、表示制御部７０は、第２促す画面をＵＩ部６２の表示部に表示させてもよい。当該トレイ１８にストック情報が割り当てられているか否かの判断の処理は、画像形成装置１０にて行われてもよいし、端末装置５６にて行われてもよい。また、当該トレイ１８にて用紙に関するエラーが発生している場合、表示制御部７０は、第２促す画面を表示部に表示させなくてもよい。
【０１４５】
＜第２実施形態＞
以下、第２実施形態に係る画像形成装置について説明する。第２実施形態に係る画像形成装置は、第１実施形態に係る画像形成装置１０と同じ構成を有し、情報処理装置の一例に相当する。第２実施形態に係る画像形成装置は、検知部２０を有していなくてもよい。また、第２実施形態に係る画像形成装置は、第１実施形態に係る表示処理を実行しなくてもよい。つまり、第２実施形態に係る画像形成装置においては、ユーザによる用紙やストック情報の割り当てが行われていないトレイ１８が開けられた場合に、第１促す画面や第２促す画面が、表示部に表示されなくてもよい。もちろん、第２実施形態に係る画像形成装置は、第１実施形態に係る表示処理を実行してもよい。以下、第２実施形態に係る画像形成装置１０について詳しく説明する。以下では、画像形成装置１０に含まれる複数の構成のうち、第２実施形態に関連する構成について詳しく説明する。
【０１４６】
受付部２２は、用紙の用紙属性情報を受け付ける。例えば、読取装置１２によって対象物が読み取られることで、用紙属性情報が取得される。受付部２２は、その用紙属性情報を受け付ける。なお、第１実施形態と同様に、対象物自体から用紙属性情報が取得されてもよいし、対象物から識別情報が取得され、サーバ１４等の外部装置から用紙属性情報が取得されてもよい。画像形成装置１０の制御部３０が、外部装置から用紙属性情報を取得してもよいし、読取装置１２が外部装置から用紙属性情報を取得してもよい。なお、端末装置５６によって対象物が読み取られて、端末装置５６から画像形成装置１０に用紙属性情報が送信された場合、受付部２２は、端末装置５６から送信されてきた用紙属性情報を受け付ける。
【０１４７】
別の例として、受付部２２は、ストック情報を受け付けてもよい。ストック情報は、第１実施形態と同様の方法によって取得される。例えば、画像形成装置１０の制御部３０は、受付部２２が受け付けた用紙属性情報を含むストック情報を記憶部２８やサーバ１４から取得する。受付部２２は、制御部３０によって取得されたストック情報を受け付ける。第１実施形態と同様に、受付部２２は、１又は複数の推奨ストック情報を受け付けてもよい。
【０１４８】
第２実施形態においては、表示制御部３２は、ユーザが用紙をトレイ１８に割り当てる操作を行う画面を、ＵＩ部２６の表示部に表示させる。例えば、受付部２２が用紙属性情報を受け付けた場合、表示制御部３２は、ユーザが当該用紙属性情報をトレイ１８に割り当てる操作を行う画面であって、当該用紙属性情報と割り当て先の候補となる複数のトレイ１８とを示す画面（以下、「用紙割当操作画面」と称することとする）を、ＵＩ部２６の表示部に表示させる。また、用紙割当操作画面が表示部に表示されているときに、受付部２２が用紙属性情報を新たに受け付けた場合、表示制御部３２は、受付部２２が新たに受け付けた用紙属性情報を、当該用紙割当操作画面上に更に表示させる。
【０１４９】
例えば、用紙割当操作画面には、受付部２２が受け付けた複数の用紙属性情報と、複数のトレイ１８とが表示され、いずれの用紙属性情報に対しても、割り当ての対象としてユーザが選択する複数のトレイ１８が共通して表示される。
【０１５０】
受付部２２が新たに受け付けた用紙属性情報が、用紙割当操作画面上に表示されている用紙属性情報と同一の情報である場合、表示制御部３２は、受付部２２が新たに受け付けた用紙属性情報を当該用紙割当操作画面上に表示させなくてもよい。
【０１５１】
別の例として、表示制御部３２は、ユーザがストック情報をトレイ１８に割り当てる操作を行う画面を、ＵＩ部２６の表示部に表示させてもよい。例えば、受付部２２がストック情報を受け付けた場合、ユーザがトレイ１８にストック情報を割り当てる操作を行う画面であって、ストック情報と割り当て先の候補となる複数のトレイ１８とを示す画面（以下、「ストック割当操作画面」と称することとする）を、ＵＩ部２６の表示部に表示させる。また、ストック割当操作画面が表示部に表示されているときに、受付部２２がストック情報を新たに受け付けた場合、表示制御部３２は、受付部２２が新たに受け付けたストック情報を、当該ストック割当操作画面上に更に表示させる。
【０１５２】
例えば、ストック割当操作画面には、受付部２２が受け付けた複数のストック情報と、複数のトレイ１８とが表示され、いずれのストック情報に対しても、割り当ての対象としてユーザが選択する複数のトレイ１８が共通して表示される。
【０１５３】
受付部２２が新たに受け付けたストック情報が、ストック割当操作画面上に表示されているストック情報と同一の情報である場合、表示制御部３２は、受付部２２が新たに受け付けたストック情報を当該ストック割当操作画面上に表示させなくてもよい。
【０１５４】
以下、図１２を参照して、用紙割当操作画面の表示処理について説明する。図１２には、その表示処理を示すフローチャートが示されている。
【０１５５】
まず、ユーザが読取装置１２によって、トレイ１８に割り当てられる用紙についてのバーコードを読み取る（Ｓ１０）。例えば、図２に示されているバーコード３６が、読取装置１２によって読み取られる。これにより、用紙属性情報が取得され、受付部２２は、当該用紙属性情報を受け付ける。もちろん、第１実施形態と同様に、２次元コードやＲＦタグや文字列や用紙自体が読み取られることで、用紙属性情報が取得されてもよい。
【０１５６】
受付部２２が用紙属性情報を受け付けた場合、表示制御部３２は、用紙割当操作画面をＵＩ部２６の表示部に表示させる（Ｓ１１）。用紙割当操作画面には、用紙属性情報の割り当て先の候補となる複数のトレイ１８が表示されている。また、受付部２２は、受け付けた用紙属性情報を記憶部２８に記憶させる。
【０１５７】
読取済みの用紙属性情報がない場合（Ｓ１２，Ｎｏ）、表示制御部３２は、受付部２２が受け付けた用紙属性情報を用紙割当操作画面に表示させる（Ｓ１３）。例えば、用紙割当操作画面に、別の用紙属性情報が表示されていない場合や、読取済みの用紙属性情報が記憶部２８に記憶されていない場合、表示制御部３２は、受付部２２が受け付けた用紙属性情報を用紙割当操作画面に表示させる。
【０１５８】
読取済みの用紙属性情報がある場合（Ｓ１４，Ｙｅｓ）、処理はステップＳ１４に移行する。
【０１５９】
受付部２２が受け付けた用紙属性情報が、用紙割当操作画面に既に表示されている用紙属性情報と同一の情報である場合（Ｓ１４，Ｙｅｓ）、表示制御部３２は、受付部２２が受け付けた用紙属性情報を用紙割当操作画面に表示させない（Ｓ１５）。つまり、受付部２２が受け付けた用紙属性情報が、読取済みの用紙属性情報と同一の情報である場合、表示制御部３２は、受付部２２が受け付けた用紙属性情報を用紙割当操作画面上に表示させない。
【０１６０】
受付部２２が受け付けた用紙属性情報が、用紙割当操作画面に既に表示されている用紙属性情報と同一の情報ではない場合（Ｓ１４，Ｎｏ）、表示制御部３２は、受付部２２が受け付けた用紙属性情報を用紙割当操作画面に表示させる（Ｓ１３）。
【０１６１】
ストック割当操作画面も、用紙割当操作画面と同様に表示される。つまり、ユーザが読取装置１２によってバーコード３６を読み取り、受付部２２が用紙属性情報を受け付けると、第１実施形態と同様に、制御部３０は、当該用紙属性情報を含むストック情報を記憶部２８やサーバ１４から取得する。受付部２２が、制御部３０によって取得されたストック情報を受け付けると、表示制御部３２は、ストック割当操作画面をＵＩ部２６の表示部に表示させる。読取済みの用紙属性情報がない場合、表示制御部３２は、受付部２２が受け付けたストック情報をストック割当操作画面に表示させる。例えば、ストック割当操作画面に、別のストック情報が表示されていない場合や、読取済みの用紙属性情報を含むストック情報が記憶部２８に記憶されていない場合、表示制御部３２は、受付部２２が受け付けたストック情報をストック割当操作画面に表示させる。読取済みの用紙属性情報がある場合において、受付部２２が受け付けたストック情報が、ストック割当操作画面に既に表示されているストック情報と同一の情報である場合、表示制御部３２は、受付部２２が受け付けたストック情報をストック割当操作画面に表示させない。受付部２２が受け付けたストック情報が、ストック割当操作画面に既に表示されているストック情報と同一の情報ではない場合、表示制御部３２は、受付部２２が受け付けたストック情報をストック割当操作画面に表示させる。
【０１６２】
以下、具体例を挙げて、第２実施形態について更に詳しく説明する。
【０１６３】
以下では、トレイ１８に用紙属性情報を割り当てる操作について説明する。図１３を参照して、用紙割当操作画面について説明する。図１３には、用紙割当操作画面の一例が示されている。バーコードや２次元コードやＲＦＩＤ等の対象物が読取装置１２によって読み取られることで用紙属性情報が取得され、受付部２２が用紙属性情報を受け付けると、用紙割当操作画面７２がＵＩ部２６の表示部に表示される。
【０１６４】
用紙割当操作画面７２は、読取情報表示欄７２Ａ、用紙属性表示欄７２Ｂ、トレイ表示欄７２Ｃ、及び、割当用紙表示欄７２Ｄを有する。トレイ表示欄７２Ｃと割当用紙表示欄７２Ｄとが対応付けられている。
【０１６５】
読取情報表示欄７２Ａには、読取装置１２によって読み取られた対象物を識別するための対象物識別情報が表示される。対象物識別情報は、例えば、番号やＩＤや名称等を示す情報である。対象物識別情報は、対象物を読取装置１２によって読み取ることで取得される情報であり、例えば、用紙属性情報に含まれている情報である。
【０１６６】
用紙属性表示欄７２Ｂには、対象物を読取装置１２によって読み取ることで受付部２２によって受け付けられた用紙属性情報が表示される。用紙属性表示欄７２Ｂには、例えば、用紙属性情報に含まれる一部の情報が表示されてもよいし、用紙属性情報を識別するための情報（例えば番号やＩＤや名称等を示す情報）が表示されてもよい。
【０１６７】
トレイ表示欄７２Ｃには、用紙属性情報の割り当て先の候補となる複数のトレイ１８のそれぞれのトレイ識別情報が表示される。
【０１６８】
割当用紙表示欄７２Ｄには、対応するトレイ１８に割り当てられた用紙属性情報を識別するための情報が表示される。用紙属性情報が割り当てられていないトレイ１８に対応する割当用紙表示欄には、当該トレイ１８に用紙属性情報が割り当てられていないことを示す情報（例えば文字列「未割当」）が表示される。
【０１６９】
ユーザは、用紙割当操作画面７２上で、読取情報表示欄７２Ａに表示されている対象物識別情報や用紙属性表示欄７２Ｂに表示されている用紙属性情報を操作することで、割り当て先のトレイ１８に用紙属性情報を割り当てることができる。
【０１７０】
図１３に示す例では、対象物の一例である「バーコード１」が読取装置１２によって読み取られている。読取情報表示欄７２Ａには、読み取られた対象物が「バーコード１」であることを示す対象物識別情報が表示されている。用紙属性表示欄７２Ｂには、「バーコード１」を読み取ることで取得された用紙属性情報が表示されている。「バーコード１」を読み取ることで取得された用紙属性情報は、「用紙属性１」である。用紙属性表示欄には、「用紙属性１」を示す情報や、用紙属性情報に含まれる一部の情報が表示されている。
【０１７１】
用紙割当操作画面７２が表示部に表示されている状態で、別の対象物が読取装置１２によって読み取られた場合、表示制御部３２は、当該別の対象物を読み取ることで受付部２２によって受け付けられた用紙属性情報を、用紙割当操作画面７２に更に表示させる。
【０１７２】
例えば、対象物の一例である「バーコード２」が読取装置１２によって読み取られたものとする。「バーコード２」は「バーコード１」とは異なるバーコードである。「バーコード２」を読み取ることで、「バーコード１」を読み取ることで取得される用紙属性情報とは異なる用紙属性情報が取得される。
【０１７３】
図１４に示すように、表示制御部３２は、「バーコード２」を読み取ることで取得された用紙属性情報を用紙割当操作画面７２に更に表示させる。読取情報表示欄７２Ａには、新たに読み取られた対象物が「バーコード２」であることを示す対象物識別情報が更に表示されている。用紙属性表示欄７２Ｂには、「バーコード２」を読み取ることで取得された用紙属性情報が更に表示されている。「バーコード２」を読み取ることで取得された用紙属性情報は、「用紙属性２」である。用紙属性表示欄７２Ｂには、「用紙属性２」を示す情報や、用紙属性情報に含まれる一部の情報が更に表示されている。
【０１７４】
以上のように、「バーコード１」を読み取ることで取得された用紙属性情報と、「バーコード２」を読み取ることで取得された用紙属性情報とが、同一の用紙割当操作画面７２に表示される。更に別の対象物が読取装置１２によって読み取られた場合、その読み取りによって取得された用紙属性情報が、用紙割当操作画面７２に更に表示される。
【０１７５】
複数の用紙属性情報が取得された場合、当該複数の用紙属性情報と複数のトレイ識別情報が、同一の用紙割当操作画面７２に表示される。つまり、いずれの用紙属性情報に対しても、割り当ての対象としてユーザが選択する複数のトレイ１８が共通して表示される。
【０１７６】
例えば、ドラッグ＆ドロップ操作によって、用紙属性情報がトレイ１８に割り当てられる。図１５には、その割り当て操作の様子が示されている。
【０１７７】
矢印７４が指し示すように、ユーザがＵＩ部２６を用いて、読取情報表示欄７２Ａに表示されている「バーコード１」の対象物識別情報を、割り当て先の「トレイ１」が対応付けられている割当用紙表示欄７２Ｄまで移動させ（つまり、当該対象物識別情報を当該割当用紙表示欄７２Ｄまでドラッグ操作し）、当該対象物識別情報を当該割当用紙表示欄７２Ｄに配置する（つまり、当該対象物識別情報を当該割当用紙表示欄７２Ｄにドロップ操作する）。これにより、「バーコード１」に対応付けられている「用紙属性１」が、「トレイ１」に割り当てられる。受付部２２は、「トレイ１」のトレイ識別情報に用紙属性情報「用紙属性１」を対応付けてトレイ管理テーブルに登録する。例えば図３に示されているトレイ管理テーブルに、「トレイ１」と「用紙属性１」とが対応付けられて登録される。
【０１７８】
同様に、矢印７６が指し示すように、「バーコード２」の対象物識別情報が、「トレイ２」に対応付けられている割当用紙表示欄７２Ｄまでドラッグ操作され、当該割当用紙表示欄７２Ｄにドロップ操作されている。これにより、「バーコード２」に対応付けられている「用紙属性２」が、「トレイ２」に割り当てられる。受付部２２は、「トレイ２」のトレイ識別情報に用紙属性情報「用紙属性２」を対応付けてトレイ管理テーブルに登録する。例えば図３に示されているトレイ管理テーブルに、「トレイ２」と「用紙属性２」とが対応付けられて登録される。
【０１７９】
なお、ドラッグ＆ドロップ操作は、割り当て操作の一例に過ぎない。例えば、ユーザが、用紙割当操作画面７２上で、割り当ての対象となる対象物識別情報（例えば「バーコード１」）と、割り当て先のトレイ識別情報（例えば「トレイ１」）とを選択した場合（例えばクリックやタッチ操作等を行った場合）、受付部２２は、選択された用紙属性情報（例えば「用紙属性１」）とトレイ１８（例えば「トレイ１」）とを対応付けて、トレイ管理テーブルに登録してもよい。これ以外の方法によって、用紙属性情報とトレイ識別情報とが選択されてもよい。また、ユーザの音声によって、割り当ての対象となる用紙属性情報と、割り当て先のトレイ識別情報とが選択されてもよい。
【０１８０】
以上のように、複数の用紙属性情報と割り当ての候補となる複数のトレイ１８とが、同じ用紙割当操作画面７２に表示され、いずれの用紙属性情報にとっても、割り当ての候補となる複数のトレイ１８は共通して表示される。
【０１８１】
ユーザが、用紙割当操作画面７２に表示されている「完了」ボタンを押した場合に、受付部２２は、割当用紙表示欄に表示されている用紙属性情報を、当該割当用紙表示欄に対応付けられているトレイ１８に対応付けてもよい。また、「完了」ボタンが押された場合、表示制御部３２は、用紙割当操作画面７２を表示部から消してもよい。換言すると、「完了」ボタンが押されるまでは、表示制御部３２は、用紙割当操作画面７２を表示部に表示し続け、用紙属性情報が追加で取得されたら、用紙割当操作画面７２上の用紙属性情報も追加してもよい。
【０１８２】
なお、図１３に示されているように、１つの用紙属性情報が用紙割当操作画面７２に表示されている状態で、用紙属性情報をトレイ１８に割り当てる操作が行われてもよい。
【０１８３】
また、「バーコード１」が既に読み取られて、用紙属性情報「用紙属性１」が用紙割当操作画面７２に表示されている状態で、「バーコード１」が読取装置１２によって新たに読み取られて用紙属性情報「用紙属性１」が取得された場合、表示制御部３２は、後から取得された用紙属性情報「用紙属性１」を用紙割当操作画面７２に表示させない。つまり、表示制御部３２は、複数の同一の用紙属性情報を用紙割当操作画面７２に表示させない。「バーコード２」についても同様である。このように、同じバーコードが読取装置１２によって複数回読み取られた場合には、表示制御部３２は、複数の同じ用紙属性情報を用紙割当操作画面７２に表示させない。
【０１８４】
ユーザが用紙属性情報をトレイ１８に割り当てる操作を行い、受付部２２がその操作を受け付けた後も、表示制御部３２は、用紙割当操作画面７２から当該用紙属性情報を消さなくてもよい。受付部２２は、当該用紙属性情報と当該トレイ１８とを対応付ける。また、ユーザが、当該用紙属性情報を別のトレイ１８に割り当てる操作を行った場合、受付部２２は、その操作を受け付けて、当該用紙属性情報と当該別のトレイ１８とを対応付ける。
【０１８５】
例えば、ユーザが「用紙属性１」を「トレイ１」に割り当てる操作（例えばドラッグ＆ドロップ操作）を行った場合、受付部２２は、「トレイ１」と「用紙属性１」とを対応付けて、図３に示されているトレイ管理テーブルに登録する。この操作が行われた後も、表示制御部３２は、用紙属性情報「トレイ１」を用紙割当操作画面７２から消さない。その後、ユーザが「用紙属性１」を「トレイ２」に割り当てる操作（例えばドラッグ＆ドロップ操作）を行った場合、受付部２２は、「トレイ２」と「用紙属性１」とを対応付けて、図３に示されているトレイ管理テーブルに登録する。つまり、ユーザは、既に「トレイ１」に割り当てる操作を行った「用紙属性１」を使用して、「トレイ２」へ割り当てる操作を行う。このように、用紙属性情報をトレイ１８に割り当てる操作が行われた段階では、表示制御部３２は、操作対象の用紙属性情報を用紙割当操作画面７２から消さない。そして、その用紙属性情報を更に別のトレイ１８に割り当てる操作が受け付けられる。
【０１８６】
図１３から図１５に示されている例においては、同一の用紙割当操作画面７２に、複数の用紙属性情報と、割り当て先の候補となる複数のトレイ１８とが表示されているが、読み取りによって取得された用紙属性情報毎に表示ウィンドウが表示され、各表示ウィンドウに、割り当て先の候補となる複数のトレイ１８が表示されてもよい。トレイ１８への用紙属性情報の割り当ては、各用紙属性情報の表示ウィンドウにて別々に行われる。つまり、複数の異なるバーコードが読み取られて複数の異なる用紙属性情報が取得された場合、ＵＩ部２６の表示部には、複数の表示ウィンドウが表示され、各表示ウィンドウにてトレイ１８への用紙属性情報の割り当てが行われる。
【０１８７】
例えば、「バーコード１」が読取装置１２によって読み取られて用紙属性情報「用紙属性１」が取得された場合、表示制御部３２は、用紙属性情報「用紙属性１」とトレイ表示欄７２Ｃと割当用紙表示欄７２Ｄとを示す表示ウィンドウを、ＵＩ部２６の表示部に表示させる。トレイ表示欄７２Ｃと割当用紙表示欄７２Ｄは、図１３に示されている表示欄と同じである。トレイ表示欄７２Ｃには、割り当て先の候補となる複数のトレイ１８のそれぞれのトレイ識別情報が表示される。「用紙属性１」用の表示ウィンドウ上にて、トレイ１８への用紙属性情報「用紙属性１」の割り当てが行われる。
【０１８８】
また、「バーコード２」が読取装置１２によって読み取られて「用紙属性２」の用紙属性情報が取得された場合、表示制御部３２は、用紙属性情報「用紙属性２」とトレイ表示欄７２Ｃと割当用紙表示欄７２Ｄとを示す表示ウィンドウを、ＵＩ部２６の表示部に表示させる。トレイ表示欄７２Ｃと割当用紙表示欄７２Ｄは、図１３に示されている表示欄と同じである。トレイ表示欄７２Ｃには、割り当て先の候補となる複数のトレイ１８のそれぞれのトレイ識別情報が表示される。「用紙属性１」用の表示ウィンドウ上にて、トレイ１８への用紙属性情報「用紙属性１」の割り当てが行われる。
【０１８９】
「用紙属性２」用の表示ウィンドウは、「用紙属性１」用の表示ウィンドウとは別の表示ウィンドウである。つまり、「用紙属性１」用の表示ウィンドウと「用紙属性２」用の表示ウィンドウとは、別々に表示部に表示される。表示制御部３２は、「用紙属性１」用の表示ウィンドウと「用紙属性２」用の表示ウィンドウとを重ねて表示部に表示させてもよいし、並べて表示部に表示させてもよい。
【０１９０】
上記とは別の例として、ストック情報がトレイ１８に割り当てられてもよい。以下では、トレイ１８にストック情報を割り当てる操作について説明する。図１６を参照して、ストック割当操作画面について説明する。図１６には、ストック割当操作画面の一例が示されている。バーコードや２次元コードやＲＦＩＤ等の対象物が読取装置１２によって読み取られることで用紙属性情報が取得され、当該用紙属性情報を含むストック情報が、記憶部２８やサーバ１４から取得され、受付部２２がストック情報を受け付けると、ストック割当操作画面７８がＵＩ部２６の表示部に表示される。例えば、当該用紙属性情報を含む１又は複数の推奨ストック情報が記憶部２８やサーバ１４に記憶されており、制御部３０は、当該１又は複数の推奨ストック情報を記憶部２８やサーバ１４から取得する。このように、対象物を読取装置１２によって読み取ることで推奨ストック情報が取得される。もちろん、推奨ストック情報以外のストック情報が、ストック割当操作画面７８に表示されてもよい。
【０１９１】
ストック割当操作画面７８には、読取情報表示欄７８Ａ、推奨ストック表示欄７８Ｂ、トレイ表示欄７８Ｃ及び割当ストック表示欄７８Ｄを有する。トレイ表示欄７８Ｃと割当ストック表示欄７８Ｄとが対応付けられている。
【０１９２】
読取情報表示欄７８Ａには、図１３に示されている読取情報表示欄７２Ａと同様に、読取装置１２によって読み取られた対象物を識別するための対象物識別情報が表示される。
【０１９３】
推奨ストック表示欄７８Ｂには、対象物を読取装置１２によって読み取ることで取得された推奨ストック情報が表示される。推奨ストック表示欄７８Ｂには、例えば、推奨ストック情報に含まれる一部の情報が表示されてもよいし、推奨ストック情報を識別するための情報（例えば番号やＩＤや名称等を示す情報）が表示されてもよい。
【０１９４】
トレイ表示欄７８Ｃには、図１３に示されているトレイ表示欄７２Ｃと同様に、用紙属性情報の割り当て先の候補となる複数のトレイ１８のそれぞれのトレイ識別情報が表示される。
【０１９５】
割当ストック表示欄７８Ｄには、対応するトレイ１８に割り当てられたストック情報を識別するための情報が表示される。ストック情報が割り当てられていないトレイ１８に対応する割当ストック表示欄には、当該トレイ１８にストック情報が割り当てられていないことを示す情報（例えば文字列「未割当」）が表示される。
【０１９６】
ユーザは、ストック割当操作画面７８上で、読取情報表示欄７８Ａに表示されている対象物識別情報や推奨ストック表示欄７８Ｂに表示されているストック情報を操作することで、割り当て先のトレイ１８にストック情報を割り当てることができる。
【０１９７】
図１６に示す例では、対象物の一例である「バーコード１」が読取装置１２によって読み取られている。読取情報表示欄７８Ａには、読み取られた対象物が「バーコード１」であることを示す対象物識別情報が表示されている。推奨ストック表示欄７８Ｂには、「バーコード１」を読み取ることで取得された推奨ストック情報が表示されている。「バーコード１」を読み取ることで取得された推奨ストック情報は、「ストック１」である。推奨ストック表示欄７８Ｂには、「ストック１」を示す情報や、推奨ストック情報「ストック１」に含まれている一部の情報（例えば用紙サイズ等を示す情報）が表示されている。推奨ストック情報「ストック１」は、「バーコード１」を読み取ることで取得された用紙属性情報と、当該用紙属性情報を有する用紙の印刷について推奨される推奨印刷パラメータとの対応付けを示す情報である。
【０１９８】
「バーコード１」を読み取ることで取得された用紙属性情報を含む複数の推奨ストック情報が記憶部２８やサーバ１４に記憶されており、当該複数の推奨ストック情報が取得された場合、表示制御部３２は、例えば、当該複数の推奨ストック情報をプルダウン方式等によって推奨ストック表示欄７８Ｂに表示させてもよいし、当該複数の推奨ストック情報を並べて推奨ストック表示欄７８Ｂに表示させてもよい。
【０１９９】
ストック割当操作画面７８が表示されている状態で、別の対象物が読取装置１２によって読み取られた場合、表示制御部３２は、当該別の対象物を読み取ることで取得された推奨ストック情報をストック割当操作画面７８に更に表示させる。
【０２００】
例えば、対象物の一例である「バーコード２」が読取装置１２によって読み取られたものとする。「バーコード２」は「バーコード１」とは異なるバーコードである。「バーコード２」を読み取ることで、「バーコード１」を読み取ることで取得される推奨ストック情報とは異なる推奨ストック情報が取得される。
【０２０１】
図１７に示すように、表示制御部３２は、「バーコード２」を読み取ることで取得された推奨ストック情報をストック割当操作画面７８に更に表示させる。読取情報表示欄７８Ａには、新たに読み取られた対象物が「バーコード２」であることを示す対象物識別情報が更に表示されている。推奨ストック表示欄７８Ｂには、「バーコード２」を読み取ることで取得された推奨ストック情報が更に表示されている。「バーコード２」を読み取ることで取得された推奨ストック情報は、「ストック２」である。推奨ストック表示欄７８Ｂには、「ストック２」を示す情報や、「ストック２」の推奨ストック情報に含まれている一部の情報（例えば用紙サイズ等を示す情報）が表示されている。推奨ストック情報「ストック２」は、「バーコード２」を読み取ることで取得された用紙属性情報と、当該用紙属性情報を有する用紙について推奨される推奨印刷パラメータとの対応付けを示す情報である。
【０２０２】
以上のように、「バーコード１」を読み取ることで取得された推奨ストック情報と、「バーコード２」を読み取ることで取得された推奨ストック情報とが、同一のストック割当操作画面７８に表示される。更に別の対象物が読取装置１２によって読み取られた場合、その読み取りによって取得された推奨ストック情報が、ストック割当操作画面７８に更に表示される。
【０２０３】
複数のストック情報が取得された場合、当該複数のストック情報と複数のトレイ識別情報が、同一のストック割当操作画面７８に表示される。つまり、いずれのストック情報に対しても、割り当ての対象としてユーザが選択する複数のトレイ１８が共通して表示される。
【０２０４】
例えば、ドラッグ＆ドロップ操作によって、ストック情報がトレイ１８に割り当てられる。図１８には、その割り当ての様子が示されている。
【０２０５】
矢印８０が指し示すように、ユーザがＵＩ部２６を用いて、読取情報表示欄７８Ａに表示されている「バーコード１」の対象物識別情報を、割り当て先の「トレイ１」に対応付けられている割当ストック表示欄７８Ｄまでドラッグ操作し、当該対象物識別情報を当該割当ストック表示欄７８Ｄにドロップ操作する。これにより、「バーコード１」に対応付けられている「ストック１」が、「トレイ１」に割り当てられる。受付部２２は、「トレイ１」のトレイ識別情報に推奨ストック情報「ストック１」を対応付けてトレイ管理テーブルに登録する。例えば図４に示されているトレイ管理テーブルに、「トレイ１」と「ストック１」とが対応付けられて登録される。
【０２０６】
同様に、矢印８２が指し示すように、「バーコード２」の対象物識別情報が、「トレイ２」に対応付けられている割当ストック表示欄７８Ｄまでドラッグ操作され、当該割当ストック表示欄７８Ｄにドロップ操作されている。これにより、「バーコード２」に対応付けられている「ストック２」が、「トレイ２」に割り当てられる。受付部２２は、「トレイ２」のトレイ識別情報に推奨ストック情報「ストック２」を対応付けてトレイ管理テーブルに登録する。例えば図４に示されているトレイ管理テーブルに、「トレイ２」と「ストック２」とが対応付けられている。
【０２０７】
なお、トレイ１８に用紙属性情報を割り当てる場合と同様に、ドラッグ＆ドロップ操作以外の操作によって、トレイ１８にストック情報を割り当ててもよい。例えば、ストック割当操作画面７８上で、ユーザが、割り当ての対象となるストック情報と、割り当て先のトレイ識別情報とを選択してもよいし、ユーザが、音声によって、これらの情報を選択してもよい。
【０２０８】
以上のように、複数のストック情報と、割り当ての候補となる複数のトレイ１８とが、１つのストック割当操作画面７８に表示され、いずれのストック情報にとっても、割り当ての候補となる複数のトレイ１８は共通して表示される。
【０２０９】
ユーザが、ストック割当操作画面７８に表示されている「完了」ボタンを押した場合に、受付部２２は、割当ストック表示欄７８Ｄに表示されているストック情報を、当該割当ストック表示欄７８Ｄに対応付けられているトレイ１８に対応付けてもよい。また、「完了」ボタンが押された場合、表示制御部３２は、ストック割当操作画面７８を表示部から消してもよい。
【０２１０】
なお、図１６に示されているように、１つのストック情報がストック割当操作画面７８に表示されている状態で、ストック情報をトレイ１８に割り当てる操作が行われてもよい。
【０２１１】
また、「バーコード１」が既に読み取られて、ストック情報「ストック１」がストック割当操作画面７８に表示されている状態で、「バーコード１」が読取装置１２によって新たに読み取られてストック情報「ストック１」が取得された場合、表示制御部３２は、後から取得されたストック情報「ストック１」をストック割当操作画面７８に表示させない。つまり、表示制御部３２は、複数の同一のストック情報をストック割当操作画面７８に表示させない。「バーコード２」についても同様である。このように、同じバーコードが読取装置１２によって複数回読み取られた場合には、表示制御部３２は、複数の同じストック情報をストック割当操作画面７８に表示させない。
【０２１２】
ユーザがストック情報をトレイ１８に割り当てる操作を行い、受付部２２がその操作を受け付けた後も、表示制御部３２は、ストック割当操作画面７８から当該ストック情報を消さなくてもよい。受付部２２は、当該ストック情報と当該トレイ１８とを対応付ける。また、ユーザが、当該ストック情報を別のトレイ１８に割り当てる操作を行った場合、受付部２２は、その操作を受け付けて、当該ストック情報と当該別のトレイ１８とを対応付ける。
【０２１３】
例えば、ユーザが「ストック１」を「トレイ１」に割り当てる操作（例えばドラッグ＆ドロップ操作）を行った場合、受付部２２は、「トレイ１」と「ストック１」とを対応付けて、図４に示されているトレイ管理テーブルに登録する。この操作が行われた後も、表示制御部３２は、ストック情報「ストック１」をストック割当操作画面７８から消さない。その後、ユーザが「ストック１」を「トレイ２」に割り当てる操作（例えばドラッグ＆ドロップ操作）を行った場合、受付部２２は、「トレイ２」と「ストック１」とを対応付けて、図４に示されているトレイ管理テーブルに登録する。このように、ストック情報をトレイ１８に割り当てる操作が行われた段階では、表示制御部３２は、操作対象のストック情報をストック割当操作画面７８から消さない。
【０２１４】
用紙属性情報の割り当て操作が行われる表示ウィンドウと同様に、表示制御部３２は、読み取りによって取得されたストック情報毎に表示ウィンドウをＵＩ部２６の表示部に表示させてもよい。各表示ウィンドウには、割り当て先の候補となる複数のトレイ１８が表示される。トレイ１８へのストック情報の割り当ては、各ストック情報の表示ウィンドウにて別々に行われる。
【０２１５】
例えば、「バーコード１」が読み取られた場合、ストック情報「ストック１」とトレイ表示欄７８Ｃと割当ストック表示欄７８Ｄとを示す表示ウィンドウが表示される。「バーコード２」が読み取られた場合、ストック情報「ストック２」とトレイ表示欄７８Ｃと割当ストック表示欄７８Ｄとを示す表示ウィンドウが表示される。「ストック１」用の表示ウィンドウと「ストック２」用の表示ウィンドウとは、別々の表示ウィンドウである。「ストック１」用の表示ウィンドウ上にて、トレイ１８へのストック情報「ストック１」の割り当てが行われる。「ストック２」用の表示ウィンドウ上にて、トレイ１８へのストック情報「ストック２」の割り当てが行われる。これらの表示ウィンドウは、重ねて表示されてもよいし、並べて表示されてもよい。
【０２１６】
以下、第２実施形態の変形例について説明する。
【０２１７】
変形例においては、表示制御部３２は、複数の対象物を読み取ることで取得された複数の用紙属性情報と、割り当て先の候補となる複数のトレイ１８とをすべて同時に並べて表示部に表示させつつ、各用紙属性情報に対応付けられる印刷パラメータの候補は一部のみを表示部に表示させる。ユーザが、印刷パラメータの他の候補の表示指示を与えた場合、表示制御部３２は、他の候補を表示部に表示させる。
【０２１８】
図１９及び図２０を参照して、第２実施形態に係る変形例に着いて詳しく説明する。図１９及び図２０には、第２実施形態の変形例に係る割当操作画面の一例が示されている。
【０２１９】
第２実施形態の変形例に係る割当操作画面８４は、読取情報表示欄８４Ａ、用紙属性表示欄８４Ｂ、推奨印刷パラメータ表示欄８４Ｃ、トレイ表示欄８４Ｄ、及び、割当表示欄８４Ｅを有する。
【０２２０】
読取情報表示欄８４Ａには、図１３に示されている読取情報表示欄７２Ａと同様に、読取装置１２によって読み取られた対象物を識別するための対象物識別情報が表示される。
【０２２１】
用紙属性表示欄８４Ｂには、図１３に示されている用紙属性表示欄７２Ｂと同様に、対象物を読取装置１２によって読み取ることで取得された用紙属性情報が表示される。
【０２２２】
推奨印刷パラメータ表示欄８４Ｃには、対象物を読取装置１２によって読み取ることで取得された推奨ストック情報に含まれている推奨印刷パラメータが表示される。推奨印刷パラメータ表示欄８４Ｃには、例えば、推奨印刷パラメータに含まれる一部の情報が表示されてもよいし、推奨印刷パラメータを識別するための情報（例えば番号やＩＤや名称等を示す情報）が表示されてもよい。
【０２２３】
トレイ表示欄８４Ｄには、用紙属性情報や推奨印刷パラメータの割り当て先の候補となる複数のトレイ１８のそれぞれのトレイ識別情報が表示される。
【０２２４】
割当表示欄８４Ｅには、対応するトレイ１８に割り当てられた用紙属性情報を識別するための情報や、割り当てられた推奨印刷パラメータを識別するための情報が表示される。
【０２２５】
ここでは、既に、対象物である「バーコード１」と「バーコード２」とが読取装置１２によって読み取られて、「バーコード１」に対応する１又は複数の推奨ストック情報と、「バーコード２」に対応する１又は複数の推奨ストック情報とが取得されているものとする。
【０２２６】
図１９に示されているように、割当操作画面８４の読取情報表示欄８４Ａには、「バーコード１」を示す対象物識別情報と「バーコード２」を示す対象物識別情報とが表示されている。用紙属性表示欄８４Ｂには、「バーコード１」を読み取ることで取得された用紙属性情報と、「バーコード２」を読み取ることで取得された用紙属性情報とが表示されている。「バーコード１」を読み取ることで取得された用紙属性情報は、「用紙属性１」である。「バーコード２」を読み取ることで取得された用紙属性情報は、「用紙属性２」である。
【０２２７】
推奨印刷パラメータ表示欄８４Ｃには、「バーコード１」を読み取ることで取得された１又は複数の推奨ストック情報に含まれている１又は複数の推奨印刷パラメータと、「バーコード２」を読み取ることで取得された１又は複数の推奨ストック情報に含まれている１又は複数の推奨印刷パラメータと、が表示されている。
【０２２８】
例えば、「バーコード１」を読み取ることで、「推奨ストック１」、「推奨ストック２」及び「推奨ストック３」が取得されている。つまり、推奨ストック情報「推奨ストック１」、「推奨ストック２」及び「推奨ストック３」は、「バーコード１」を読み取ることで取得された用紙属性情報を含む推奨ストック情報であり、「用紙属性１」を有する用紙に対して推奨されているストック情報である。これらの推奨ストック情報は、記憶部２８やサーバ１４に記憶されている。推奨ストック情報「推奨ストック１」には、推奨印刷パラメータ「印刷パラメータ１」が含まれている。推奨ストック情報「推奨ストック２」には、推奨印刷パラメータ「印刷パラメータ２」が含まれている。推奨ストック情報「推奨ストック３」には、推奨印刷パラメータ「印刷パラメータ３」が含まれている。これらの印刷パラメータは、「用紙属性１」を有する用紙に対して推奨されている印刷パラメータである。
【０２２９】
また、「バーコード２」を読み取ることで、「推奨ストック４」及び「推奨ストック５」が取得されている。つまり、推奨ストック情報「推奨ストック４」及び「推奨ストック５」は、「バーコード２」を読み取ることで取得された用紙属性情報を含む推奨ストック情報であり、「用紙属性２」を有する用紙に対して推奨されているストック情報である。これらの推奨ストック情報は、記憶部２８やサーバ１４に記憶されている。推奨ストック情報「推奨ストック４」には、推奨印刷パラメータ「印刷パラメータ４」が含まれている。推奨ストック情報「推奨ストック５」には、推奨印刷パラメータ「印刷パラメータ５」が含まれている。これらの印刷パラメータは、「用紙属性２」を有する用紙に対して推奨されている印刷パラメータである。
【０２３０】
表示制御部３２は、取得されたすべての用紙属性情報と、画像形成装置１０Ａに設けられているすべてのトレイ１８のそれぞれのトレイ識別情報とを、同時に並べて割当操作画面８４に表示させる。つまり、取得されたすべての用紙属性情報は、用紙属性表示欄８４Ｂに並べて表示され、すべてのトレイ識別情報は、トレイ表示欄８４Ｄに並べて表示される。
【０２３１】
「用紙属性１」に対する複数の推奨印刷パラメータがある場合であっても、表示制御部３２は、当該複数の推奨印刷パラメータに含まれる一部の推奨印刷パラメータを、推奨印刷パラメータ表示欄に表示する。表示制御部３２は、当該複数の推奨印刷パラメータの中で最も推奨度の高い推奨印刷パラメータを推奨印刷パラメータ表示欄に表示してもよいし、番号順や名称順で最上位に配置される推奨印刷パラメータを推奨印刷パラメータ表示欄に表示してもよい。「用紙属性２」についても同様である。なお、推奨度は、後述する第３実施形態によって算出された推奨度であってもよいし、ストック情報の使用回数に基づいて定められてもよいし、ストック情報を使用したユーザの評価によって定められてもよい。
【０２３２】
図１９に示す例では、「用紙属性１」については、「印刷パラメータ１」が推奨印刷パラメータ表示欄に表示されている。例えば、「印刷パラメータ１」は、「推奨ストック１」、「推奨ストック２」及び「推奨ストック３」の中で最も推奨度の高い「推奨ストック１」に含まれている印刷パラメータである。「用紙属性２」については、「印刷パラメータ４」が推奨印刷パラメータ表示欄に表示されている。例えば、「印刷パラメータ４」は、「推奨ストック４」及び「推奨ストック５」の中で最も推奨度の高い「推奨ストック４」に含まれている印刷パラメータである。このように、各用紙属性について、１つの印刷パラメータが表示されている。
【０２３３】
ユーザは、「印刷パラメータ１」を割当表示欄８４Ｅに対してドラッグ＆ドロップ操作することで、「印刷パラメータ１」をトレイ１８に割り当てることができる。受付部２２は、「印刷パラメータ１」と、割り当て先のトレイ１８のトレイ識別情報とを対応付けて、この対応付けを示す情報を、図４に示されているトレイ管理テーブルに登録する。また、「印刷パラメータ１」がトレイ１８に割り当てられた場合、「印刷パラメータ１」に対応付けられている「用紙属性１」も、同じトレイ１８に割り当てられてもよい。つまり、受付部２２は、「用紙属性１」と、「印刷パラメータ１」が割り当てられたトレイ１８のトレイ識別情報とを対応付けて、その対応付けを示す情報を、図４に示されているトレイ管理テーブルに登録する。もちろん、別の用紙属性情報が、「印刷パラメータ１」が割り当てられたトレイ１８に割り当てられてもよい。「印刷パラメータ４」も同様にしてトレイ１８に割り当てられてもよい。
【０２３４】
表示されていない他の印刷パラメータは、例えば、プルダウン方式に従って表示される。例えば、ユーザが、割当操作画面８４上で、推奨印刷パラメータ表示欄８４Ｃに表示されている「印刷パラメータ１」を指定した場合（例えばクリックやタッチ操作した場合）、図２０中の矢印８６が指し示すように、表示制御部３２は、「用紙属性１」に対応付けられている「印刷パラメータ１」、「印刷パラメータ２」及び「印刷パラメータ３」を一覧にして割当操作画面８４に表示させる。ユーザは、その一覧から印刷パラメータを選択し、選択した印刷パラメータを割当表示欄８４Ｅに対してドラッグ＆ドロップ操作することで、当該印刷パラメータをトレイ１８に割り当てることができる。「印刷パラメータ４」についても同様である。
【０２３５】
なお、ドラッグ＆ドロップ操作以外の操作によって、印刷パラメータや用紙属性情報が、トレイ１８に割り当てられてもよい。
【０２３６】
第２実施形態においても、第１実施形態の変形例と同様に、情報処理装置の一例である端末装置５６によって、第２実施形態に係る処理が実行されてもよい。つまり、読取装置１２又は端末装置５６の読取部５８によって対象物が読み取られることで用紙属性情報が取得された場合、端末装置５６の表示制御部７０は、図１３に示されている用紙割当操作画面７２を、端末装置５６のＵＩ部６２の表示部に表示させる。更に別の対象物が読み取られることで別の用紙属性情報が取得された場合、表示制御部７０は、図１４に示すように、当該別の用紙属性情報を用紙割当操作画面７２に更に表示させる。そして、図１５に示すように、ユーザによって用紙属性情報がトレイ１８に割り当てられた場合、端末装置５６の制御部６８は、用紙属性情報とトレイ識別情報との対応付けを示す情報を、画像形成装置１０に送信する。その対応付けを示す情報は、例えば図３に示されているトレイ管理テーブルに登録される。
【０２３７】
別の例として、端末装置５６において、トレイ１８へのストック情報の割り当てが行われてもよい。つまり、対象物が読み取られることでストック情報が取得された場合、表示制御部７０は、図１６に示されているストック割当操作画面７８を、ＵＩ部６２の表示部に表示させる。更に別の対象物が読み取られることで別のストック情報が取得された場合、表示制御部７０は、図１７に示すように、当該別のストック情報をストック割当操作画面７８に更に表示させる。そして、図１８に示すように、ユーザによってストック情報がトレイ１８に割り当てられた場合、制御部６８は、ストック情報とトレイ識別情報との対応付けを示す情報を、画像形成装置１０に送信する。その対応付けを示す情報は、例えば図４に示されているトレイ管理テーブルに登録される。
【０２３８】
更に別の例として、図１９に示されている割当操作画面８４が、ＵＩ部６２の表示部に表示されて、用紙属性情報や印刷パラメータがトレイ１８に割り当てられてもよい。
【０２３９】
＜第３実施形態＞
以下、図２１を参照して、第３実施形態に係る画像形成装置について説明する。図２１には、第３実施形態に係る画像形成装置１０Ａの構成の一例が示されている。画像形成装置１０Ａは、情報処理装置の一例に相当する。
【０２４０】
画像形成装置１０Ａは、上述した画像形成装置１０が有する構成に加えて、更に、推奨度算出部８８を含む。画像形成装置１０Ａは、検知部２０を有していなくてもよい。また、画像形成装置１０Ａは、第１実施形態に係る表示処理を実行しなくてもよい。つまり、画像形成装置１０Ａにおいては、ユーザによる用紙やストック情報の割り当てが行われていないトレイ１８が開けられた場合に、第１促す画面や第２促す画面が、表示部に表示されなくてもよい。もちろん、画像形成装置１０Ａは、第１実施形態に係る表示処理を実行してもよい。また、画像形成装置１０Ａは、第２実施形態に係る表示処理を実行しなくてもよい。つまり、画像形成装置１０Ａにおいては、用紙割当操作画面７２（図１３参照）やストック割当操作画面７８（図１６参照）が表示されなくてもよい。もちろん、画像形成装置１０Ａは、第２実施形態に係る表示処理を実行してもよい。以下、画像形成装置１０Ａについて詳しく説明する。以下では、画像形成装置１０Ａに含まれる複数の構成のうち、第３実施形態に関連する構成について詳しく説明する。
【０２４１】
受付部２２は、用紙の用紙属性情報を受け付ける。例えば、読取装置１２によって対象物が読み取られることで、用紙属性情報が取得される。受付部２２は、その用紙属性情報を受け付ける。なお、第１実施形態と同様に、対象物自体から用紙属性情報が取得されてもよいし、対象物から識別情報が取得され、サーバ１４等の外部装置から用紙属性情報が取得されてもよい。画像形成装置１０の制御部３０が、外部装置から用紙属性情報を取得してもよいし、読取装置１２が外部装置から用紙属性情報を取得してもよい。なお、端末装置５６によって対象物が読み取られて、端末装置５６から画像形成装置１０に用紙属性情報が送信された場合、受付部２２は、端末装置５６から送信されてきた用紙属性情報を受け付ける。
【０２４２】
表示制御部３２は、受付部２２が受け付けた用紙属性情報を含むストック情報を選択的にＵＩ部２６の表示部に表示させるように構成されている。表示制御部３２は、例えば、記憶部２８に記憶されている複数のストック情報の中から、受付部２２が受け付けた用紙属性情報を含むストック情報を表示部に表示させる。表示制御部３２は、サーバ１４に記憶されている複数のストック情報の中から、受付部２２が受け付けた用紙属性情報を含むストック情報を表示部に表示させてもよい。受付部２２が受け付けた用紙属性情報を含むストック情報は、例えば第１実施形態と同様に、制御部３０によってサーバ１４から取得される。
【０２４３】
表示制御部３２は、第２実施形態と同様に、ユーザがストック情報をトレイ１８に割り当てる操作を行うストック割当操作画面を、ＵＩ部２６の表示部に表示させてもよい。例えば、受付部２２が用紙属性情報を受け付けた場合、図１６に示されているストック割当操作画面７８が表示部に表示されてもよい。
【０２４４】
推奨度算出部８８は、用紙属性情報と印刷パラメータとの関係に基づいて、ストック情報の推奨度を算出するように構成されている。例えば、推奨度算出部８８は、用紙詰まりに関する、用紙属性情報と印刷パラメータとの関係に基づいて、推奨度を算出してもよいし、用紙への画像の定着性に関する、用紙属性情報と印刷パラメータとの関係に基づいて、推奨度を算出してもよい。具体的には、用紙詰まりが発生し難いストック情報ほど推奨度が高くなる。つまり、ストック情報に含まれる用紙属性情報が示す属性を有する用紙に、当該ストック情報に含まれる印刷パラメータに従って画像を印刷した場合に、用紙詰まりが発生し難い、用紙属性と印刷パラメータとの組み合わせほど推奨度が高くなる。また、画像の定着性が高いストック情報ほど推奨度が高くなる。つまり、ストック情報に含まれる用紙属性情報が示す属性を有する用紙に、当該ストック情報に含まれる印刷パラメータに従って画像を印刷した場合に、画像の定着性が高い、用紙属性と印刷パラメータとの組み合わせほど推奨度が高くなる。定着性は画質に関連しているため、定着性に関する推奨度は、画質に関する推奨度であるともいえる。また、推奨度算出部８８は、用紙属性情報と印刷パラメータとの関係に基づいて、生産性に関する推奨度を算出してもよい。
【０２４５】
推奨度算出部８８は、記憶部２８に記憶されている１又は複数のストック情報について推奨度を算出してもよいし、サーバ１４から取得された１又は複数のストック情報について推奨度を算出してもよい。
【０２４６】
例えば、受付部２２が用紙属性情報を受け付けた場合、推奨度算出部８８は、受付部２２が受け付けた用紙属性情報を含む１又は複数のストック情報を対象として、当該用紙属性情報と、当該１又は複数のストック情報のそれぞれに含まれる印刷パラメータとの推奨度を算出する。
【０２４７】
また、推奨度算出部８８は、ストック情報毎に、推奨度に応じたランキングを決定してもよい。推奨度が高いほど、上位のランキングがストック情報に付与される。
【０２４８】
表示制御部３２は、ストック情報毎に、推奨度算出部８８によって算出された推奨度を、ストック情報に対応付けてＵＩ部２６の表示部に表示させる。また、表示制御部３２は、推奨度に応じたランキングを表示部に表示させてもよい。ユーザはＵＩ部２６を用いて、表示されている１又は複数のストック情報の中から、トレイ１８に割り当てられるストック情報を選択して、当該ストック情報をトレイ１８に割り当てることができる。このとき、ユーザは、ストック情報に対応付けられている推奨度を参照することで、トレイ１８に割り当てられるストック情報を選択してもよい。また、表示制御部３２は、各ストック情報の推奨度をストック割当操作画面に表示させてもよい。
【０２４９】
以下、図２２を参照して、第３実施形態に係る画像形成装置１０Ａによる処理について説明する。図２２には、当該処理を示すフローチャートが示されている。
【０２５０】
まず、ユーザが読取装置１２によって、用紙についてのバーコードを読み取る（Ｓ２０）。例えば、図２に示されているバーコード３６が、読取装置１２によって読み取られる。これにより、用紙属性情報が取得され、受付部２２は、当該用紙属性情報を受け付ける。もちろん、第１実施形態と同様に、２次元コードやＲＦタグや文字列や用紙自体が読み取られることで、用紙属性情報が取得されてもよい。
【０２５１】
次に、制御部３０は、受付部２２が受け付けた用紙属性情報を含む１又は複数のストック情報を記憶部２８から取得する（Ｓ２１）。制御部３０は、用紙属性情報を含む１又は複数のストック情報をサーバ１４から取得してもよい。ユーザが、過去に、用紙属性情報と印刷パラメータとを対応付けてストック情報を生成した場合、当該ストック情報が、記憶部２８やサーバ１４に記憶されていてもよい。また、制御部３０は、人工知能（ＡＩ）が搭載されたサーバやクラウドコンピューティングに、受付部２２が受け付けた用紙属性情報を送信し、人工知能が選択した複数の推奨ストック情報を取得してもよい。
【０２５２】
制御部３０によって複数のストック情報が取得された場合（Ｓ２２，Ｙｅｓ）、推奨度算出部８８は、ストック情報毎に、当該ストック情報に含まれる用紙属性情報（つまり受付部２２が受け付けた用紙属性情報）と、当該ストック情報に含まれる印刷パラメータとの関係に基づいて、推奨度を算出する（Ｓ２３）。
【０２５３】
複数のストック情報の中に推奨度が同じ複数のストック情報がある場合（Ｓ２４，Ｙｅｓ）、表示制御部３２は、予め定められた条件に従って、推奨度が同じ複数のストック情報の表示順位を決定する（Ｓ２５）。表示制御部３２は、ストック情報の使用回数に基づいて表示順位を決定してもよいし、ストック情報の名称順に従って表示順位を決定してもよい。例えば、使用回数がより多いストック情報ほど、表示順位が上位であってもよい。
【０２５４】
次に、表示制御部３２は、ステップＳ２１にて取得された複数のストック情報を、ＵＩ部２６の表示部に選択的に表示させる（Ｓ２６）。このとき、表示制御部３２は、ストック情報毎に、ステップＳ２３にて算出された推奨度を、ストック情報に対応付けて表示部に表示させる。また、表示制御部３２は、推奨度に基づく表示順位に従って、各ストック情報を表示部に表示させる。例えば、推奨度がより高いストック情報ほど上位に表示される。推奨度が同じ複数のストック情報については、ステップＳ２５にて決定された表示順位に従って表示される。
【０２５５】
複数のストック情報の中に推奨度が同じ複数のストック情報がない場合（Ｓ２４，Ｎｏ）、表示制御部３２は、ステップＳ２１にて取得された複数のストック情報を、ＵＩ部２６の表示部に選択的に表示させる（Ｓ２６）。このとき、表示制御部３２は、ストック情報毎に、ステップＳ２３にて算出された推奨度を、ストック情報に対応付けて表示部に表示させる。例えば、推奨度がより高いストック情報ほど上位に表示される。
【０２５６】
制御部３０によって複数のストック情報が取得されていない場合（Ｓ２２，Ｎｏ）、つまり、制御部３０によって１つのストック情報が取得された場合、表示制御部３２は、当該１つのストック情報をＵＩ部２６の表示部に表示させる（Ｓ２６）。
【０２５７】
以下、具体例を挙げて、第３実施形態について更に詳しく説明する。
【０２５８】
図２３を参照して、ストック管理テーブルについて説明する。図２３には、ストック管理テーブルの一例が示されている。ストック管理テーブルは、ストック情報を管理するためのテーブルであり、例えば、記憶部２８に記憶されているストック管理情報の一例である。ストック管理テーブルは、サーバ１４に記憶されているストック情報を管理するためのテーブルであってもよい。また、ストック管理テーブルには、記憶部２８に記憶されているストック情報と、サーバ１４に記憶されているストック情報とを管理するためのテーブルであってもよい。また、ストック管理テーブルは、記憶部２８に記憶されているストック情報と、サーバ１４から取得されたストック情報とを管理するためのテーブルであってもよい。
【０２５９】
ストック管理テーブルにおいては、ストック情報毎に、管理ＩＤと、ストック情報の名称を示す情報と、当該ストック情報に含まれている用紙属性情報と、当該ストック情報に含まれている印刷パラメータとが対応付けられている。図２３には、用紙サイズを示す情報、用紙種類を示す情報、及び、用紙重量を示す情報が、用紙属性情報の一部の例として示されている。その他、図示されていないが、用紙の色を示す情報、コーティングの有無を示す情報、及び、パンチ穴の有無を示す情報等が、用紙属性情報に含まれている。また、定着温度、アライナーロール圧力、サイドレジの補正値、転写電流の調整値、用紙カール補正値、及び、紙折り位置の調整値等が、印刷パラメータに含まれている。
【０２６０】
同一の用紙属性情報に複数の異なる印刷パラメータが対応付けられることで、用紙属性情報が同じ複数のストック情報が生成されて、ストック管理テーブルに登録されてもよい。また、複数の異なる用紙属性情報に同一の印刷パラメータが対応付けられることで、用紙属性情報の異なる複数のストック情報が生成されて、ストック管理テーブルに登録されてもよい。上述したように、ユーザが用紙属性情報と印刷パラメータとを対応付けてもよいし、用紙属性情報と印刷パラメータとは予め対応付けられていてもよい。例えば、複数のユーザが、用紙属性情報と印刷パラメータとを対応付けることで、複数のストック情報が生成され、当該複数のストック情報が、記憶部２８やサーバ１４に記憶されてもよい。
【０２６１】
また、推奨度算出部８８が各ストック情報の推奨度を算出した場合、ストック管理テーブルには、その推奨度が登録されてもよい。推奨度に応じたランキングを示す情報も、ストック管理テーブルに登録されてもよい。
【０２６２】
図２４を参照して、印刷パラメータ設定画面について説明する。図２４は、印刷パラメータ設定画面の一例が示されている。例えば、ユーザがＵＩ部２６を用いて印刷パラメータ設定画面の表示指示を与えると、表示制御部３２は、印刷パラメータ設定画面９０をＵＩ部２６の表示部に表示させる。印刷パラメータ設定画面９０には、印刷パラメータに含まれる各値の設定項目が表示されており、ユーザは、印刷パラメータ設定画面９０上で、印刷パラメータに含まれる各値を設定することができる。ここで設定された印刷パラメータと、ユーザによって選択された用紙属性情報とが対応付けられ、その対応付けを示すストック情報が、記憶部２８やサーバ１４に記憶される。なお、図２４に示されている各設定項目は一例に過ぎず、他の設定項目が表示されて、ユーザによって設定されてもよい。
【０２６３】
以下、図２５を参照して、推奨度の算出について詳しく説明する。図２５には、推奨度の算出方法が示されている。図２５には、用紙詰まりに着目した算出方法、定着性に着目した算出方法、及び、生産性に着目した算出方法が示されている。図２５には、推奨度の値が示されている。値が大きいほど、推奨度が高い。
【０２６４】
例えば、用紙種類と印刷時の定着温度との関係に基づいて、推奨度が算出される。具体的には、用紙が薄紙である場合、定着温度を上げ過ぎると、定着剥離部にて用紙詰まりが発生することがある。従って、薄紙と高温の定着温度との組み合わせに対しては、推奨度を低くする。例えば、用紙属性情報が示す用紙種類が「薄紙」であり、かつ、印刷パラメータが示す定着温度が「高温」である場合、当該用紙種類と定着温度との組み合わせに対する推奨度は「−３」である。なお、「薄紙」とは、予め定められた厚さ以下の厚さを有する用紙である。「高温」とは、予め定められた温度以上の温度のことである。
【０２６５】
また、用紙種類と用紙の傾き調整値との関係に基づいて、推奨度が算出される。具体的には、用紙がコート紙である場合、アライナーロール圧力を大きくすることで、用紙詰まりの発生が抑制される。例えば、用紙がコート紙である場合、アライナーロール圧力を第１閾値以上に設定することが推奨される。また、用紙が薄紙である場合、アライナーロール圧力を小さくすることで、用紙詰まりの発生が抑制される。例えば、用紙が薄紙である場合、アライナーロール圧力を第２閾値以下に設定することが推奨される。用紙属性情報が示す用紙種類に対する、印刷パラメータが示すアライナーロール圧力が、当該用紙種類の推奨圧力範囲外である場合、当該用紙種類と当該アライナーロール圧力との組み合わせに対する推奨度は「−３」である。例えば、用紙がコート紙である場合において、印刷パラメータが示すアライナーロール圧力が第１閾値未満である場合、推奨度は「−３」である。用紙が薄紙である場合において、印刷パラメータが示すアライナーロール圧力が第２閾値以上である場合、推奨度は「−３」である。
【０２６６】
また、用紙が色紙（つまり白紙以外の用紙）である場合、サイドレジ補正を有効にすると、用紙詰まりが発生し易くなる。例えば、用紙属性情報が示す用紙の色が白色以外の色であり（つまり用紙が色紙であり）、かつ、印刷パラメータが、サイドレジ補正が有効であることを示している場合、用紙の色とサイドレジ補正の設定値との組み合わせに対する推奨度は「−３」である。
【０２６７】
また、用紙属性情報と印刷パラメータとの組み合わせによって生産性が低くなる場合、生産性に関する推奨度は、低い値に設定される。
【０２６８】
例えば、用紙がＯＨＰフィルムであり、禁則がある場合、生産性に関する推奨度は「−４」である。画像をＯＨＰフィルムに定着させるためには、定着器による定着の時間を長くすることが推奨される（つまり定着速度を遅くすることが推奨される）。例えば、ＯＨＰフィルムの搬送速度を遅くすることが推奨される。そうすると、定着に要する時間が長くなるため、生産性が低くなる。定着の時間を短くすることで、生産性は高くなるが、ＯＨＰフィルムへの画像の定着性は低下する。つまり、印刷された画像の画質が低下する。
【０２６９】
例えば、用紙属性情報が示す用紙種類がＯＨＰフィルムであり、印刷パラメータが示す定着の時間が長い場合（例えば閾値以上である場合）、生産性は低いため、生産性に関する推奨度は低い値に設定される。例えば、生産性に関する推奨度は「−４」である。この場合、定着性が良好であるため、定着性に関する推奨度は高い値に設定される。例えば、定着性に関する推奨度は「０」である。
【０２７０】
用紙属性情報が示す用紙種類がＯＨＰフィルムであり、印刷パラメータが示す定着の時間が短い場合（例えば閾値未満である場合）、生産性は低くならないため、生産性に関する推奨度は高い値に設定される。例えば、推奨度は「０」である。この場合、定着性は悪化するため、定着性に関する推奨度は低い値に設定される。例えば、定着性に関する推奨度は「−３」である。
【０２７１】
用紙属性情報が示す用紙種類がエンボス紙である場合も、用紙種類がＯＨＰフィルムである場合と同様に、推奨度が算出される。
【０２７２】
また、定着器の動作設定に関して禁則がある場合、生産性に関する推奨度は「−４」である。例えば、画像を用紙に定着させるために定着時間を長くする必要のある用紙が用いられる場合、生産性は低くなる。画像を用紙に定着させるために定着時間を長くする必要のない用紙が用いられる場合、生産性は高くなる。例えば、用紙属性情報が示す用紙種類が普通紙である場合、定着時間を長くする必要がない。そのため、用紙種類と定着器の動作設定との組み合わせに対する推奨度は高い値に設定される。例えば、推奨度は「０」である。用紙属性情報が示す用紙種類がＯＨＰフィルムやエンボス紙である場合、定着時間を長くする必要がある。そのため、用紙種類と定着器の動作設定との組み合わせに対する推奨度は低い値に設定される。例えば、推奨度は「−４」である。
【０２７３】
図２５に示されている算出方法は一例に過ぎず、図２５に示されていない用紙属性と印刷パラメータとの組み合わせについても、用紙詰まりや定着性や生産性の観点から推奨度が算出される。
【０２７４】
推奨度算出部８８は、各項目の推奨度を合算することで、ストック情報の推奨度を算出する。図２５に示されている例を挙げて説明すると、推奨度算出部８８は、ストック情報毎に、定着温度に関する推奨度、アライナーロール圧力に関する推奨度、サイドレジ補正に関する推奨度、及び、生産性に関する推奨度を合算し、その合計をストック情報の推奨度として定める。また、推奨度算出部８８は、ストック情報毎に、推奨度に応じたランキングを決定してもよい。
【０２７５】
図２６には、ストック情報の表示例が示されている。例えば、ユーザがＵＩ部２６を用いてストック情報の表示指示を与えると、表示制御部３２は、図２６に示されている画面９２をＵＩ部２６の表示部に表示させる。画面９２には、ストック管理テーブルに登録されているストック情報の一覧が表示される。また、表示制御部３２は、ストック情報毎に、ストック情報に対応付けて推奨度を画面９２に表示させる。表示制御部３２は、ストック情報毎に、推奨度に応じたランキングをストック情報に対応付けて画面９２に表示させてもよい。
【０２７６】
図２６に示す例では、「ストック１」、「ストック２」及び「ストック３」が示されている。「ストック１」の推奨度は「０」であり、ランキングは「１位」である。「ストック２」の推奨度は「−１」であり、ランキングは「２位」である。「ストック３」の推奨度は「−２」であり、ランキングは「３位」である。ランキングが「１位」のストック情報が、最も推奨度の高いストック情報であり、ランキングが下位のストック情報ほど、推奨度の低いストック情報である。表示制御部３２は、例えば、推奨度順、つまりランキング順に、各ストック情報を画面９２に表示させる。また、推奨度が同じ複数のストック情報がある場合、名前順や使用回数順等に従って、当該複数のストック情報が表示される。
【０２７７】
表示制御部３２は、割り当て先の候補となる複数のトレイ１８のそれぞれのトレイ識別情報を画面９２に表示させてもよい。この場合、ユーザは、画面９２上にて、ストック情報をトレイ１８に割り当ててもよい。
【０２７８】
また、第３実施形態においても、第２実施形態に係るトレイ割当操作画面が表示されてもよい。例えば、図１６や図１７に示されているストック割当操作画面７８が表示され、そのストック割当操作画面７８に、ストック情報毎に、ストック情報に対応付けられて推奨度やランキングが表示されてもよい。
【０２７９】
各ストック情報の推奨度やランキングを表示することで、複数のストック情報のみを表示する場合と比べて、どのストック情報を選択すべきであるのかがユーザにとって分かり易くなる。
【０２８０】
推奨度算出部８８は、ストック情報毎に、ストック情報の使用回数に応じて推奨度を変更してもよい。また、推奨度算出部８８は、ユーザ毎に、ユーザによるストック情報の使用回数に応じて推奨度を変更してもよい。例えば、推奨度算出部８８は、用紙属性情報と印刷パラメータとの関係に基づいて算出された、各ストック情報の推奨度を、画像形成装置１０Ａにログインしたユーザによる各ストック情報の使用回数に応じて変更する。使用回数が多いほど、推奨度が高くなる。
【０２８１】
第１実施形態及び第２実施形態において、推奨ストック情報は、推奨度算出部８８によって算出された推奨度に基づいて決定されてもよい。例えば、推奨ストック情報は、推奨度算出部８８によって算出された推奨度が、予め定められた閾値以上となるストック情報であってもよい。
【０２８２】
また、図１６に示されている例において、表示制御部３２は、複数のストック情報の中で、推奨度が最も高いストック情報のみをストック割当操作画面７８に表示させ、当該ストック情報がユーザによって指定された場合（例えばクリックやタッチ操作された場合）、他のストック情報をプルダウン方式に従ってストック割当操作画面７８に表示させてもよい。
【０２８３】
また、図１９に示されている例において、表示制御部３２は、推奨度が最も高いストック情報に含まれている印刷パラメータのみを割当操作画面８４に表示させ、当該印刷パラメータがユーザによって指定された場合（例えばクリックやタッチ操作された場合）、他の印刷パラメータをプルダウン方式に従って割当操作画面８４に表示させてもよい（図２０参照）。
【０２８４】
第３実施形態に係る処理は、推奨度算出部８８を有する端末装置によって実行されてもよい。例えば、図１１に示されている端末装置５６に推奨度算出部８８が設けられており、端末装置５６によって、各ストック情報の推奨度が算出されてもよい。ストック情報や推奨度は、端末装置５６のＵＩ部６２の表示部に表示されてもよい。また、端末装置５６にて、トレイ１８へのストック情報の割り当てが行われてもよい。
【０２８５】
＜その他の実施形態＞
上記の第１実施形態、第２実施形態及び第３実施形態の中の少なくとも２つの実施形態を組み合わせてもよい。
【０２８６】
例えば、第１実施形態、第２実施形態及び第３実施形態が組み合わされた場合、トレイ１８が開けられた場合において、当該トレイに用紙が割り当てられていない場合やストック情報が割り当てられていない場合、割り当てを促す画面（例えば図６に示されている表示ウィンドウ４６等）が、ＵＩ部２６の表示部に表示される。バーコード等の対象物が読取装置１２等によって読み取られた場合、図１３等に示されている用紙割当操作画面や、図１６に示されているストック割当操作画面が表示される。ストック割当操作画面には、ストック情報毎に、ストック情報に対応付けられて推奨度が表示される。
【０２８７】
上記の画像形成装置１０、画像形成装置１０Ａ及び端末装置５６の各部の機能は、一例としてハードウェアとソフトウェアとの協働により実現される。具体的には、画像形成装置１０、画像形成装置１０Ａ及び端末装置５６は、図示しないＣＰＵ等の１又は複数のプロセッサを有している。当該１又は複数のプロセッサが、図示しない記憶装置に記憶されたプログラムを読み出して実行することで、画像形成装置１０、画像形成装置１０Ａ及び端末装置５６の各部の機能が実現される。上記プログラムは、ＣＤ又はＤＶＤ等の記録媒体を経由して、又は、ネットワーク等の通信経路を経由して、記憶装置に記憶される。別の例として、画像形成装置１０、画像形成装置１０Ａ及び端末装置５６の各部の機能は、例えばプロセッサ、電子回路又はＡＳＩＣ（Application Specific Integrated Circuit）等のハードウェア資源により実現されてもよい。その実現においてメモリ等のデバイスが利用されてもよい。更に別の例として、画像形成装置１０、画像形成装置１０Ａ及び端末装置５６の各部の機能は、ＤＳＰ（Digital Signal Processor）又はＦＰＧＡ（Field Programmable Gate Array）等によって実現されてもよい。
【符号の説明】
【０２８８】
１０，１０Ａ  画像形成装置、１２  読取装置、１６  印刷部、１８  トレイ、２０  検知部、２２  受付部、３２  表示制御部、８８  推奨度算出部。
【図１】
2020154268.tif 000003
【図２】
2020154268.tif 000004
【図３】
2020154268.tif 000005
【図４】
2020154268.tif 000006
【図５】
2020154268.tif 000007
【図６】
2020154268.tif 000008
【図７】
2020154268.tif 000009
【図８】
2020154268.tif 000010
【図９】
2020154268.tif 000011
【図１０】
2020154268.tif 000012
【図１１】
2020154268.tif 000013
【図１２】
2020154268.tif 000014
【図１３】
2020154268.tif 000015
【図１４】
2020154268.tif 000016
【図１５】
2020154268.tif 000017
【図１６】
2020154268.tif 000018
【図１７】
2020154268.tif 000019
【図１８】
2020154268.tif 000020
【図１９】
2020154268.tif 000021
【図２０】
2020154268.tif 000022
【図２１】
2020154268.tif 000023
【図２２】
2020154268.tif 000024
【図２３】
2020154268.tif 000025
【図２４】
2020154268.tif 000026
【図２５】
2020154268.tif 000027
【図２６】
2020154268.tif 000028